(57)【要約】【課題】  ユーザに対し、ユーザの状態及びユーザの車両の状況及び車の周囲の状況に応じたコンテンツの検索及びコンテンツを提供するタイミングを処理し、ユーザにとって適切なコンテンツを提供することを目的とする。【解決手段】  ユーザ情報及びプローブ情報及びカーナビ情報を車載端末にて収集し、収集したユーザ情報及びプローブ情報及びカーナビ情報に基づきユーザコンテキスト及び環境コンテキストとして記録する記憶手段と、各記憶手段に記録されたコンテキストに基づき、ユーザへ提供するコンテンツを検索するための条件を抽出する手段と、前記条件に基づきコンテンツの記憶手段からコンテンツを検索する手段を有し、ユーザコンテキストと環境コンテキストを利用することにより、携帯電話などの通信を介してセンタから車載端末に情報・コンテンツの提供を行う。【選択図】  図１
2005339279.tif 000002
【特許請求の範囲】
【請求項１】
車両内に搭載された車載端末装置であって、
ユーザに関するユーザ情報と、該ユーザの車両に関する環境情報とを収集する情報収集手段と、
前記収集したユーザ情報及び環境情報を記録する情報記憶手段と、
前記情報記憶手段に記録された前記各情報に基づき、前記ユーザへ提供するコンテンツを検索するための条件を抽出する条件抽出手段と、
前記抽出条件に基づきコンテンツ記憶手段からコンテンツを検索するコンテンツ検索手段と、を有し、
前記ユーザの状態、該ユーザの車両の状況及び車の周囲の状況に応じて、前記ユーザにとって適切なコンテンツの検索、及び該コンテンツ提供のタイミングを処理することを特徴とする車載端末装置。
【請求項２】
車両内に搭載された車載端末装置であって、
前記車両のセンサと接続され、該車両のセンサから該車両に関するプローブ情報をリアルタイムに収集する車両情報収集部と、
走行経路を探索し、走行履歴及びユーザによるカーナビ操作の履歴を履歴情報として記録し、該履歴情報と、交通渋滞、現在地周辺、目的地周辺の道路情報と、を含むカーナビ情報を表示するとともに、ユーザに関するユーザ情報を収集するカーナビ機能部と、
前記車両情報収集部から受信した前記プローブ情報と、前記カーナビ機能部から受信した前記カーナビ情報及び前記ユーザ情報とを記録する車載端末記憶手段と、
前記ユーザ情報、前記プローブ情報及び前記カーナビ情報を出力するタイミングを処理する車載端末処理部と、
前記車載端末処理部から入力された、前記ユーザ情報を新たなユーザ情報として、前記プローブ情報及び前記カーナビ情報を元に環境情報として生成する情報解析部と、
前記情報解析部で生成された、前記新たなユーザ情報及び前記環境情報を記録する情報記憶手段と、
前記新たなユーザ情報及び前記環境情報に基づき、ユーザにコンテンツを提供する提供タイミングの指示及びユーザに提供すべきコンテンツの検索のための条件の出力を行う情報処理部と、
店舗や施設に関するPOI情報が記録されているコンテンツ記憶手段と、
前記情報処理部から入力された、前記コンテンツの検索のための条件に従って、前記コンテンツ記憶手段から最適なコンテンツを検索するコンテンツ推薦部と、を有し、
前記コンテンツ推薦部は、前記情報処理部からの前記提供タイミングの指示に従い、前記検索されたコンテンツを前記車載端末処理部へ送信し、
前記車載端末処理部は、前記コンテンツ推薦部から受信した前記検索されたコンテンツを前記カーナビ機能部に送信し、
前記カーナビ機能部は、前記車載端末処理部から受信した前記検索されたコンテンツをディスプレイに表示することを特徴とする車載端末装置。
【請求項３】
前記車載端末処理部は、リアルタイム、定期的な時間、前記記録したプローブ情報とカーナビ情報とがある一定の容量を満たした時、前記ユーザにより端末操作が行われた時、のいずれかの場合に、前記車載端末記憶手段に記録された、前記ユーザ情報、前記プローブ情報及び前記カーナビ情報を出力するタイミングを処理することを特徴とする請求項２記載の車載端末装置。
【請求項４】
前記情報処理部は、前記情報記憶手段に記録された、前記ユーザ情報及び前記環境情報からトリガーを感知し、該ユーザ情報及び該環境情報の内容に基づき、ユーザの状態、前記車両の状況及び該車両の周囲の状況が、どのような状態にあるかを判断し、ユーザにコンテンツを提供する提供タイミングを判断し、かつ、前記ユーザの状態、前記車両の状況及び該車両の周囲の状況の先を予測することにより、前記提供タイミングの指示及びユーザに提供すべきコンテンツの検索のための条件の出力を行うことを特徴とする請求項２記載の車載端末装置。
【請求項５】
前記コンテンツ提供後、前記ユーザが閲覧した閲覧情報が、前記カーナビ機能部によって収集され、前記車載端末記憶手段に記録されることを特徴とする請求項２から４のいずれか１項に記載の車載端末装置。
【請求項６】
前記車載端末処理部は、前記車載端末記憶手段に記録された、前記閲覧情報を前記情報解析部へ送信し、前記情報解析部は、該閲覧情報を履歴情報として前記情報記憶手段に記録することを特徴とする請求項５記載の車載端末装置。
【請求項７】
前記カーナビ機能部は、前記ユーザによって次の行動を示す目的情報が設定された場合、該目的情報を、前記車載端末処理部を介して前記情報処理部へ送信し、
前記情報処理部は、前記目的情報に基づき、前記情報記憶手段から前記ユーザの行動パターンを示す過去の履歴情報を抽出し、推定処理を行うことを特徴とする請求項２から６のいずれか１項に記載の車載端末装置。
【請求項８】
前記情報記憶手段は、
前記ユーザ情報を格納するユーザ情報記憶部と、
前記環境情報を格納する環境情報記憶部と、
を有することを特徴とする請求項１から７のいずれか１項に記載の車載端末装置。
【請求項９】
前記ユーザ情報は、
前記ユーザの年齢、性別、職業、趣味・嗜好等を示すユーザプロファイル情報と、
Webの閲覧情報、提供したコンテンツの閲覧情報、訪問した場所情報等を示す履歴情報と、
当日の予定、先の予定等のスケジュール情報と、を含み、
前記ユーザが事前に前記車載端末装置から登録した情報、及び前記ユーザの前記車載端末装置の利用過程において前記車載端末が自動的に記録した情報であることを特徴とする請求項１から７のいずれか１項に記載の車載端末装置。
【請求項１０】
前記環境情報は、
時間、車両の位置、車速、ワイパ、燃料量、ブレーキ等、ユーザの車両の状況について示すプローブ情報と、
走行履歴、目的地までの経路及び距離、現在地周辺、目的地周辺、交通渋滞等のカーナビに元から登録されている情報、及びカーナビの機能によって収集できる走行距離、走行経路、走行場所等、車両の周囲の状況について示すカーナビ情報と、を含み、
前記ユーザの利用過程において前記車載端末が自動的に記録した情報であることを特徴とする請求項１から９のいずれか１項に記載の車載端末装置。
【請求項１１】
車載端末装置とセンタサーバとがネットワークを介して接続されたコンテンツ推薦システムであって、
前記車載端末装置は、
前記車両のセンサと接続され、該車両のセンサから該車両に関するプローブ情報をリアルタイムに収集する車両情報収集部と、
走行経路を探索し、走行履歴及びユーザによるカーナビ操作の履歴を履歴情報として記録し、該履歴情報と、交通渋滞、現在地周辺、目的地周辺の道路情報と、を含むカーナビ情報を表示するカーナビ機能部と、
前記車両情報収集部から受信した前記プローブ情報と、前記カーナビ機能部から受信した前記カーナビ情報とを記録する車載端末記憶手段と、
前記プローブ情報及び前記カーナビ情報に基づき前記ユーザに提供すべきコンテンツの検索を指示する検索指示情報を送信する車載端末処理部と、
前記検索指示情報を、前記ネットワークを介して前記センタサーバへ送信する車載端末通信部と、を有し、
前記センタサーバは、
前記ネットワークを介して前記車載端末通信部から前記検索指示情報を受信するセンタ通信部と、
店舗や施設に関するPOI情報が記録されているコンテンツ記憶手段と、
前記検索指示情報に従って、前記コンテンツ記憶手段から最適なコンテンツを検索し、前記検索コンテンツを前記センタ通信部へ送信するコンテンツ推薦部と、を有し、
前記センタ通信部は、前記コンテンツ推薦部から受信した前記検索コンテンツを前記車載端末通信部へ送信し、
前記車載端末通信部は、前記検索コンテンツを、前記車載端末処理部を介して前記カーナビ機能部へ送信し、
前記カーナビ機能部は、前記検索コンテンツを表示することを特徴とするコンテンツ推薦システム。
【請求項１２】
前記車載端末処理部は、リアルタイム、定期的な時間、前記記録したプローブ情報とカーナビ情報とがある一定の容量を満たした時、ユーザにより端末操作が行われた時、のいずれかの場合に前記車載端末記憶手段に記録された、前記プローブ情報及び前記カーナビ情報を出力するタイミングを処理することを特徴とする請求項１１記載の車載端末装置。
【請求項１３】
前記コンテンツ提供後、前記ユーザが閲覧した閲覧情報が、前記カーナビ機能部によって収集され、前記車載端末記憶手段に記録されることを特徴とする請求項１１又は１２記載の車載端末装置。
【請求項１４】
車載端末装置とセンタサーバとがネットワークを介して接続されたコンテンツ推薦システムであって、
前記車載端末装置は、
前記車両のセンサと接続され、該車両のセンサから該車両に関するプローブ情報をリアルタイムに収集する車両情報収集部と、
走行経路を探索し、走行履歴及びユーザによるカーナビ操作の履歴を履歴情報として記録し、該履歴情報と、交通渋滞、現在地周辺、目的地周辺の道路情報と、を含むカーナビ情報を表示するカーナビ機能部と、
前記車両情報収集部から受信した前記プローブ情報と、前記カーナビ機能部から受信した前記カーナビ情報とを記録する車載端末記憶手段と、
前記プローブ情報及び前記カーナビ情報を前記センタサーバへ出力するタイミングを処理する車載端末処理部と、
前記車載端末記憶手段に記録された、前記プローブ情報及び前記カーナビ情報を、前記車載端末処理部が処理したタイミングに応じて、前記ネットワークを介して前記センタサーバへ送信する車載端末通信部と、を有し、
前記センタサーバは、
前記ネットワークを介して前記車載端末通信部から前記プローブ情報及び前記カーナビ情報を受信するセンタ通信部と、
店舗や施設に関するPOI情報が記録されているコンテンツ記憶手段と、
前記車載端末処理部から受信した、前記プローブ情報及び前記カーナビ情報に基づき、前記ユーザの車両の状況及び車両の周囲の状況、前記ユーザに提供すべきコンテンツの検索の条件、前記提供コンテンツを提供するタイミングをそれぞれ判断し、かつ前記ユーザの車両の状況及び車両の周囲の状況の先を予測することにより、前記ユーザへコンテンツを提供する提供タイミングの指示、及び前記ユーザに提供すべきコンテンツ検索のための検索条件を送信する情報処理部と、
前記情報処理部から受信した前記検索条件に基づいて、前記コンテンツ記憶手段から最適なコンテンツを検索し、前記情報処理部から受信した前記提供タイミングの指示に従って前記検索コンテンツを前記センタ通信部へ送信するコンテンツ推薦部と、を有し、
前記センタ通信部は、前記コンテンツ推薦部から受信した前記検索コンテンツを前記車載端末通信部へ送信し、
前記車載端末通信部は、前記検索コンテンツを、前記車載端末処理部を介して前記カーナビ機能部へ送信し、
前記カーナビ機能部は、前記検索コンテンツを表示することを特徴とするコンテンツ推薦システム。
【請求項１５】
前記車載端末処理部は、リアルタイム、定期的な時間、前記記録したプローブ情報とカーナビ情報とがある一定の容量を満たした時、ユーザにより端末操作が行われた時、のいずれかの場合に前記車載端末記憶手段に記録された、前記プローブ情報及び前記カーナビ情報を出力するタイミングを処理することを特徴とする請求項１４記載の車載端末装置。
【請求項１６】
前記コンテンツ提供後、前記ユーザが閲覧した閲覧情報が、前記カーナビ機能部によって収集され、前記車載端末記憶手段に記録されることを特徴とする請求項１４又は１５記載の車載端末装置。
【請求項１７】
プッシュ配信又はプル配信のいずれか一方によってコンテンツを提供することを特徴とする請求項１４から１６のいずれか１項に記載のコンテンツ推薦システム。
【請求項１８】
車載端末装置とセンタサーバとがネットワークを介して接続されたコンテンツ推薦システムであって、
前記車載端末装置は、
前記車両のセンサと接続され、該車両のセンサから該車両に関するプローブ情報をリアルタイムに収集する車両情報収集部と、
走行経路を探索し、走行履歴及びユーザによるカーナビ操作の履歴を履歴情報として記録し、該履歴情報と、交通渋滞、現在地周辺、目的地周辺の道路情報と、を含むカーナビ情報を表示するとともに、ユーザに関するユーザ情報を収集するカーナビ機能部と、
前記車両情報収集部から受信した前記プローブ情報と、前記カーナビ機能部から受信した前記カーナビ情報及び前記ユーザ情報とを記録する車載端末記憶手段と、
前記ユーザ情報、前記プローブ情報及び前記カーナビ情報を前記センタサーバへ出力するタイミングを処理する車載端末処理部と、
前記車載端末記憶手段に記録された、前記ユーザ情報、前記プローブ情報及び前記カーナビ情報を、前記車載端末処理部が処理したタイミングに応じて、前記ネットワークを介して前記センタサーバへ送信する車載端末通信部と、を有し、
前記センタサーバは、
前記ネットワークを介して前記車載端末通信部から前記ユーザ情報、前記プローブ情報及び前記カーナビ情報を受信するセンタ通信部と、
前記センタ通信部から受信した、前記ユーザ情報と、前記プローブ情報及び前記カーナビ情報を併せた前記環境情報とを記録する情報記憶手段と、
店舗や施設に関するPOI情報が記録されているコンテンツ記憶手段と、
前記情報記憶手段の前記ユーザ情報及び前記環境情報に基づき、前記ユーザの車両の状況及び車両の周囲の状況、前記ユーザに提供すべきコンテンツの検索の条件、前記提供コンテンツを提供するタイミングをそれぞれ判断し、かつ前記ユーザの車両の状況及び車両の周囲の状況の先を予測することにより、前記ユーザへコンテンツを提供する提供タイミングの指示、及び前記ユーザに提供すべきコンテンツ検索のための検索条件を送信する情報処理部と、
前記情報処理部から受信した前記検索条件に基づいて、前記コンテンツ記憶手段から最適なコンテンツを検索し、前記情報処理部から受信した前記提供タイミングの指示に従って前記検索コンテンツを前記センタ通信部へ送信するコンテンツ推薦部と、を有し、
前記センタ通信部は、前記コンテンツ推薦部から受信した前記検索コンテンツを前記車載端末通信部へ送信し、
前記車載端末通信部は、前記検索コンテンツを、前記車載端末処理部を介して前記カーナビ機能部へ送信し、
前記カーナビ機能部は、前記検索コンテンツを表示することを特徴とするコンテンツ推薦システム。
【請求項１９】
前記ユーザ情報、前記プローブ情報及び前記カーナビ情報は、前記車両情報収集部と前記カーナビ機能部とから収集され、前記車載端末記憶手段に記録されることを特徴とする請求項１８記載のコンテンツ推薦システム。
【請求項２０】
前記情報処理部は、前記情報記憶手段に記録された、前記ユーザ情報、前記プローブ情報及び前記カーナビ情報からトリガーを感知し、該各情報の内容に基づき状況推定及びユーザに提供すべきコンテンツ検索のための条件を判断する処理を行うことを特徴とする請求項１９記載のコンテンツ推薦システム。
【請求項２１】
前記コンテンツ提供後、前記ユーザが閲覧した閲覧情報が、前記カーナビ機能部によって収集され、前記車載端末記憶手段に記録されることを特徴とする請求項１８から２０のいずれか１項に記載のコンテンツ推薦システム。
【請求項２２】
前記車載端末処理部は、前記車載端末記憶手段に記録された、前記閲覧情報を前記情報解析部へ送信し、前記情報解析部は、該閲覧情報を履歴情報として前記情報記憶手段に記録することを特徴とする請求項２１記載のコンテンツ推薦システム。
【請求項２３】
前記車載端末処理部は、リアルタイム、定期的な時間、前記記録したプローブ情報とカーナビ情報とがある一定の容量を満たした時、ユーザにより端末操作が行われた時、のいずれかの場合に前記車載端末記憶手段に記録された、前記ユーザ情報、前記プローブ情報及び前記カーナビ情報を出力するタイミングを処理することを特徴とする請求項１８から２２のいずれか１項に記載のコンテンツ推薦システム。
【請求項２４】
プッシュ配信又はプル配信のいずれか一方によってコンテンツを提供することを特徴とする請求項１８から２３のいずれか１項に記載のコンテンツ推薦システム。
【請求項２５】
車載端末装置とセンタサーバとがネットワークを介して接続されたコンテンツ推薦システムであって、
前記車載端末装置は、
前記車両のセンサと接続され、該車両のセンサから該車両に関するプローブ情報をリアルタイムに収集する車両情報収集部と、
走行経路を探索し、走行履歴及びユーザによるカーナビ操作の履歴を履歴情報として記録し、該履歴情報と、交通渋滞、現在地周辺、目的地周辺の道路情報と、を含むカーナビ情報を表示するとともに、ユーザに関するユーザ情報を収集するカーナビ機能部と、
前記車両情報収集部から受信した前記プローブ情報と、前記カーナビ機能部から受信した前記カーナビ情報及び前記ユーザ情報とを記録する車載端末記憶手段と、
前記ユーザ情報、前記プローブ情報及び前記カーナビ情報を前記センタサーバへ出力するタイミングを処理する車載端末処理部と、
前記車載端末記憶手段に記録された、前記ユーザ情報、前記プローブ情報及び前記カーナビ情報を、前記車載端末処理部が処理したタイミングに応じて、前記ネットワークを介して前記センタサーバへ送信する車載端末通信部と、を有し、
前記センタサーバは、
前記ネットワークを介して前記車載端末通信部から前記ユーザ情報、前記プローブ情報及び前記カーナビ情報を受信するセンタ通信部と、
前記センタ通信部から入力された、前記ユーザ情報を新たなユーザ情報として、また、前記プローブ情報及び前記カーナビ情報を併せて環境情報として、それぞれ所定の形式で生成する情報解析部と、
前記新たなユーザ情報及び前記環境情報を記録する情報記憶手段と、
店舗や施設に関するPOI情報が記録されているコンテンツ記憶手段と、
前記情報記憶手段に記憶された、前記新たなユーザ情報及び前記環境情報に基づき、前記ユーザの車両の状況及び車両の周囲の状況、前記ユーザに提供すべきコンテンツの検索の条件、前記提供コンテンツを提供するタイミングをそれぞれ判断し、かつ前記ユーザの車両の状況及び車両の周囲の状況の先を予測することにより、前記ユーザへコンテンツを提供する提供タイミングの指示、及び前記ユーザに提供すべきコンテンツ検索のための検索条件を送信する情報処理部と、
前記情報処理部から受信した前記検索条件に基づいて、前記コンテンツ記憶手段から最適なコンテンツを検索し、前記情報処理部から受信した前記提供タイミングの指示に従って前記検索コンテンツを前記センタ通信部へ送信するコンテンツ推薦部と、を有し、
前記センタ通信部は、前記コンテンツ推薦部から受信した前記検索コンテンツを前記車載端末通信部へ送信し、
前記車載端末通信部は、前記検索コンテンツを、前記車載端末処理部を介して前記カーナビ機能部へ送信し、
前記カーナビ機能部は、前記検索コンテンツを表示することを特徴とするコンテンツ推薦システム。
【請求項２６】
前記ユーザ情報、前記プローブ情報及び前記カーナビ情報は、前記車両情報収集部と前記カーナビ機能部とから収集され、前記車載端末記憶手段に記録されることを特徴とする請求項２５記載のコンテンツ推薦システム。
【請求項２７】
前記情報処理部は、前記情報記憶手段に記録された、前記ユーザ情報、前記プローブ情報及び前記カーナビ情報からトリガーを感知し、該各情報の内容に基づき状況推定及びユーザに提供すべきコンテンツ検索のための条件を判断する処理を行うことを特徴とする請求項２５記載のコンテンツ推薦システム。
【請求項２８】
前記コンテンツ提供後、前記ユーザが閲覧した閲覧情報が、前記カーナビ機能部によって収集され、前記車載端末記憶手段に記録されることを特徴とする請求項２５から２７のいずれか１項に記載のコンテンツ推薦システム。
【請求項２９】
前記車載端末処理部は、前記車載端末記憶手段に記録された、前記閲覧情報を前記情報解析部へ送信し、前記情報解析部は、該閲覧情報を履歴情報として前記情報記憶手段に記録することを特徴とする請求項２８記載のコンテンツ推薦システム。
【請求項３０】
前記車載端末処理部は、リアルタイム、定期的な時間、前記記録したプローブ情報とカーナビ情報とがある一定の容量を満たした時、ユーザにより端末操作が行われた時、のいずれかの場合に前記車載端末記憶手段に記録された、前記プローブ情報及び前記カーナビ情報を出力するタイミングを処理することを特徴とする請求項２５から２９のいずれか１項に記載のコンテンツ推薦システム。
【請求項３１】
プッシュ配信又はプル配信のいずれか一方によってコンテンツを提供することを特徴とする請求項２５から３０のいずれか１項に記載のコンテンツ推薦システム。
【請求項３２】
前記情報記憶手段は、前記ネットワークを介して接続される情報処理装置からユーザ情報を受信し、予め保持するユーザ情報の更新及び追加を行うことを特徴とする請求項２５から３１のいずれか１項に記載のコンテンツ推薦システム。
【請求項３３】
前記カーナビ機能部は、前記ユーザによって次の行動を示す目的情報が設定された場合、該目的情報を、前記車載端末処理部を介して前記車載端末通信部から前記センタ通信部へ送信し、
前記センタ通信部は、受信した前記目的情報を前記情報処理部に送信し、
前記情報処理部は、前記目的情報に基づき、前記情報記憶手段から前記ユーザの行動パターンを示す過去の履歴情報を抽出し、推定処理を行うことを特徴とする請求項２５から３２のいずれか１項に記載のコンテンツ推薦システム。
【請求項３４】
前記ユーザ情報は、
前記ユーザの年齢、性別、職業、趣味・嗜好等を示すユーザプロファイル情報と、
Webの閲覧情報、提供したコンテンツの閲覧情報、訪問した場所情報等を示す履歴情報と、
当日の予定、先の予定等のスケジュール情報と、を含み、
前記ユーザが事前に前記カーナビ機能部から登録した情報、及び前記ユーザの前記車載端末の利用過程において前記カーナビ機能部が自動的に記録した情報であることを特徴とする請求項１１から３３のいずれか１項に記載のコンテンツ推薦システム。
【請求項３５】
前記環境情報は、
時間、車両の位置、車速、ワイパ、燃料量、ブレーキ等、ユーザの車両の状況について示すプローブ情報と、
走行履歴、目的地までの経路及び距離、現在地周辺、目的地周辺、交通渋滞等のカーナビに元から登録されている情報、及びカーナビ機能によって収集できる走行距離、走行経路、走行場所等、車両の周囲の状況について示すカーナビ情報と、を含み、
前記ユーザの前記車載端末の利用過程において前記車載端末が自動的に記録した情報であることを特徴とする請求項１１から３３のいずれか１項に記載のコンテンツ推薦システム。
【請求項３６】
前記情報記憶手段、前記情報解析部、前記情報処理部のうち少なくとも１つが、前記車載装置に備えられることを特徴とする請求項１１から３５のいずれか１項に記載のコンテンツ推薦システム。
【請求項３７】
前記情報記憶手段は、
前記ユーザ情報を格納するユーザ情報記憶部と、
前記環境情報を格納する環境情報記憶部と、
を有することを特徴とする請求項１８，２５，３２，３６のいずれか１項に記載のコンテンツ推薦システム。
【請求項３８】
請求項１１ら３７のいずれか１項に記載のコンテンツ推薦システムで用いられることを特徴とするセンタサーバ。
【請求項３９】
車両内でユーザに対し最適なコンテンツを提供するコンテンツ推薦方法であって、
前記ユーザに関するユーザ情報と、該ユーザの車両に関する環境情報とを収集する情報収集ステップと、
前記収集したユーザ情報及び環境情報を記録する情報記憶ステップと、
前記情報記憶ステップにおいて記録された前記各情報に基づき、前記ユーザへ提供するコンテンツを検索するための条件を抽出する条件抽出ステップと、
前記抽出条件に基づきコンテンツ記憶ステップからコンテンツを検索するコンテンツ検索ステップと、を有し、
前記ユーザの状態、該ユーザの車両の状況及び車の周囲の状況に応じて、前記ユーザにとって適切なコンテンツの検索、及び該コンテンツ提供のタイミングを処理することを特徴とするコンテンツ推薦方法。
【請求項４０】
車両内でユーザに対し最適なコンテンツを提供するコンテンツ推薦方法であって、
前記車両のセンサから該車両に関するプローブ情報をリアルタイムに収集する車両情報収集ステップと、
走行経路を探索し、走行履歴及びユーザによるカーナビ操作の履歴を履歴情報として記録し、該履歴情報と、交通渋滞、現在地周辺、目的地周辺の道路情報と、を含むカーナビ情報、及び前記ユーザに関するユーザ情報を収集するカーナビ情報収集ステップと、
前記プローブ情報と、前記カーナビ情報及び前記ユーザ情報とを記録する車載端末記憶ステップと、
前記ユーザ情報、前記プローブ情報及び前記カーナビ情報を出力するタイミングを処理する車載端末処理ステップと、
前記ユーザ情報を新たなユーザ情報として、前記プローブ情報及び前記カーナビ情報を元に環境情報として生成する情報解析ステップと、
前記新たなユーザ情報及び前記環境情報を記録する情報記憶ステップと、
前記新たなユーザ情報及び前記環境情報に基づき、前記ユーザにコンテンツを提供する提供タイミングの指示及びユーザに提供すべきコンテンツの検索のための条件の出力を行う情報処理ステップと、
前記コンテンツの検索のための条件に従って、店舗や施設に関する最適なコンテンツを検索するコンテンツ推薦ステップと、を有し、
前記コンテンツ推薦ステップにおいて、前記情報処理ステップの前記提供タイミングの指示に従い、前記検索されたコンテンツを車載端末装置へ送信することを特徴とするコンテンツ推薦方法。
【請求項４１】
前記車載端末処理ステップは、リアルタイム、定期的な時間、前記記録したプローブ情報とカーナビ情報とがある一定の容量を満たした時、前記ユーザにより端末操作が行われた時、のいずれかの場合に前記車載端末記憶手段に記録された、前記ユーザ情報、前記プローブ情報及び前記カーナビ情報を出力するタイミングを処理することを特徴とする請求項４０記載のコンテンツ推薦方法。
【請求項４２】
前記情報処理ステップは、前記ユーザ情報及び前記環境情報からトリガーを感知し、該ユーザ情報及び該環境情報の内容に基づき、前記ユーザの状態、前記車両の状況及び該車両の周囲の状況が、どのような状態にあるかを判断し、前記ユーザにコンテンツを提供する提供タイミングを判断し、かつ、前記ユーザの状態、前記車両の状況及び該車両の周囲の状況の先を予測することにより、前記提供タイミングの指示及びユーザに提供すべきコンテンツの検索のための条件の出力を行うことを特徴とする請求項４０記載のコンテンツ推薦方法。
【請求項４３】
前記コンテンツ提供後、前記ユーザが閲覧した閲覧情報を収集する閲覧情報収集ステップをさらに有することを特徴とする請求項４０から４２のいずれか１項に記載のコンテンツ推薦方法。
【請求項４４】
前記ユーザによって次の行動を示す目的情報が設定された場合、該目的情報に基づき、前記情報記憶ステップにおいて、前記ユーザの行動パターンを示す過去の履歴情報を抽出し、推定処理を行うことを特徴とする請求項４０から４３のいずれか１項に記載のコンテンツ推薦方法。
【請求項４５】
前記情報記憶ステップは、
前記ユーザ情報を格納するユーザ情報ステップと、
前記環境情報を格納する環境情報ステップと、
を有することを特徴とする請求項３９から４４のいずれか１項に記載のコンテンツ推薦方法。
【請求項４６】
前記ユーザ情報は、
前記ユーザの年齢、性別、職業、趣味・嗜好等を示すユーザプロファイル情報と、
Webの閲覧情報、提供したコンテンツの閲覧情報、訪問した場所情報等を示す履歴情報と、
当日の予定、先の予定等のスケジュール情報と、を含み、
前記ユーザが事前に車載端末装置から登録した情報、及び前記ユーザの前記車載端末装置の利用過程において前記車載端末が自動的に記録した情報であることを特徴とする請求項３９から４５のいずれか１項に記載のコンテンツ推薦方法。
【請求項４７】
前記環境情報は、
時間、車両の位置、車速、ワイパ、燃料量、ブレーキ等、ユーザの車両の状況について示すプローブ情報と、
走行履歴、目的地までの経路及び距離、現在地周辺、目的地周辺、交通渋滞等のカーナビに元から登録されている情報、及びカーナビの機能によって収集できる走行距離、走行経路、走行場所等、車両の周囲の状況について示すカーナビ情報と、を含み、
前記ユーザの利用過程において車載端末が自動的に記録した情報であることを特徴とする請求項３９から４５のいずれか１項に記載のコンテンツ推薦方法。
【請求項４８】
車載端末装置とセンタサーバとがネットワークを介して接続され、車両内でユーザに対し最適なコンテンツを提供するコンテンツ推薦方法であって、
前記車載端末装置において、
前記車両のセンサから該車両に関するプローブ情報をリアルタイムに収集する車両情報収集ステップと、
走行経路を探索し、走行履歴及びユーザによるカーナビ操作の履歴を履歴情報として記録し、該履歴情報と、交通渋滞、現在地周辺、目的地周辺の道路情報と、を含むカーナビ情報を収集するカーナビ情報収集ステップと、
前記プローブ情報と、前記カーナビ情報とを記録する車載端末記憶ステップと、
前記プローブ情報及び前記カーナビ情報に基づき前記ユーザに提供すべきコンテンツの検索を指示する検索指示情報を送信する車載端末処理ステップと、
前記検索指示情報を、前記ネットワークを介して前記センタサーバへ送信する車載端末通信ステップと、
前記センタサーバにおいて、
前記ネットワークを介して前記検索指示情報を受信するセンタ通信ステップと、
前記検索指示情報に従って、店舗や施設に関する最適なコンテンツを検索し、前記検索コンテンツを送信するコンテンツ推薦ステップと、を有し、
前記検索コンテンツを前記車載端末へ送信することを特徴とするコンテンツ推薦方法。
【請求項４９】
前記車載端末処理ステップは、リアルタイム、定期的な時間、前記記録したプローブ情報とカーナビ情報とがある一定の容量を満たした時、前記ユーザにより端末操作が行われた時、のいずれかの場合に前記車載端末記憶手段に記録された、前記ユーザ情報、前記プローブ情報及び前記カーナビ情報を出力するタイミングを処理することを特徴とする請求項４８記載のコンテンツ推薦方法。
【請求項５０】
前記コンテンツ提供後、前記ユーザが閲覧した閲覧情報を収集する閲覧情報収集ステップをさらに有することを特徴とする請求項４８又は４９記載のコンテンツ推薦方法。
【請求項５１】
車載端末装置とセンタサーバとがネットワークを介して接続され、車両内でユーザに対し最適なコンテンツを提供するコンテンツ推薦方法であって、
前記車載端末装置において、
前記車両のセンサから該車両に関するプローブ情報をリアルタイムに収集する車両情報収集ステップと、
走行経路を探索し、走行履歴及びユーザによるカーナビ操作の履歴を履歴情報として記録し、該履歴情報と、交通渋滞、現在地周辺、目的地周辺の道路情報と、を含むカーナビ情報を収集するカーナビ情報収集ステップと、
前記プローブ情報と、前記カーナビ情報とを記録する車載端末記憶ステップと、
前記プローブ情報及び前記カーナビ情報を前記センタサーバへ出力するタイミングを処理する車載端末処理ステップと、
前記プローブ情報及び前記カーナビ情報を、前記タイミングに応じて、前記ネットワークを介して前記センタサーバへ送信する車載端末通信ステップと、
前記センタサーバにおいて、
前記ネットワークを介して前記プローブ情報及び前記カーナビ情報を受信するセンタ通信ステップと、
前記プローブ情報及び前記カーナビ情報に基づき、前記ユーザの車両の状況及び車両の周囲の状況、前記ユーザに提供すべきコンテンツの検索の条件、前記提供コンテンツを提供するタイミングをそれぞれ判断し、かつ前記ユーザの車両の状況及び車両の周囲の状況の先を予測することにより、前記ユーザへコンテンツを提供する提供タイミングの指示、及び前記ユーザに提供すべきコンテンツ検索のための検索条件を送信する情報処理ステップと、
前記検索条件に基づいて、店舗や施設に関する最適なコンテンツを検索し、前記提供タイミングの指示に従って前記検索コンテンツを送信するコンテンツ推薦ステップと、を有し、
前記検索コンテンツを前記車載端末装置へ送信することを特徴とするコンテンツ推薦方法。
【請求項５２】
前記車載端末処理ステップは、リアルタイム、定期的な時間、前記記録したプローブ情報とカーナビ情報とがある一定の容量を満たした時、前記ユーザにより端末操作が行われた時、のいずれかの場合に前記車載端末記憶手段に記録された、前記ユーザ情報、前記プローブ情報及び前記カーナビ情報を出力するタイミングを処理することを特徴とする請求項５１記載のコンテンツ推薦方法。
【請求項５３】
前記コンテンツ提供後、前記ユーザが閲覧した閲覧情報を収集する閲覧情報収集ステップをさらに有することを特徴とする請求項５１又は５２記載のコンテンツ推薦方法。
【請求項５４】
プッシュ配信又はプル配信のいずれか一方によってコンテンツを提供することを特徴とする請求項５１から５３のいずれか１項に記載のコンテンツ推薦方法。
【請求項５５】
車載端末装置とセンタサーバとがネットワークを介して接続され、車両内でユーザに対し最適なコンテンツを提供するコンテンツ推薦方法であって、
前記車載端末装置において、
前記車両のセンサと接続され、該車両のセンサから該車両に関するプローブ情報をリアルタイムに収集する車両情報収集ステップと、
走行経路を探索し、走行履歴及びユーザによるカーナビ操作の履歴を履歴情報として記録し、該履歴情報と、交通渋滞、現在地周辺、目的地周辺の道路情報と、を含むカーナビ情報、及び前記ユーザに関するユーザ情報を収集するカーナビ情報収集ステップと、
前記プローブ情報と、前記カーナビ情報及び前記ユーザ情報とを記録する車載端末記憶ステップと、
前記ユーザ情報、前記プローブ情報及び前記カーナビ情報を前記センタサーバへ出力するタイミングを処理する車載端末処理ステップと、
前記ユーザ情報、前記プローブ情報及び前記カーナビ情報を、前記タイミングに応じて、前記ネットワークを介して前記センタサーバへ送信する車載端末通信ステップと、
前記センタサーバにおいて、
前記ネットワークを介して前記ユーザ情報、前記プローブ情報及び前記カーナビ情報を受信するセンタ通信ステップと、
前記ユーザ情報と、前記プローブ情報及び前記カーナビ情報を併せた前記環境情報とを記録する情報記憶ステップと、
前記ユーザ情報及び前記環境情報に基づき、前記ユーザの車両の状況及び車両の周囲の状況、前記ユーザに提供すべきコンテンツの検索の条件、前記提供コンテンツを提供するタイミングをそれぞれ判断し、かつ前記ユーザの車両の状況及び車両の周囲の状況の先を予測することにより、前記ユーザへコンテンツを提供する提供タイミングの指示、及び前記ユーザに提供すべきコンテンツ検索のための検索条件を送信する情報処理ステップと、
前記検索条件に基づいて、店舗や施設に関する最適なコンテンツを検索し、前記提供タイミングの指示に従って前記検索コンテンツを送信するコンテンツ推薦ステップと、を有し、
前記検索コンテンツを前記車載端末装置へ送信することを特徴とするコンテンツ推薦方法。
【請求項５６】
前記情報処理ステップは、前記ユーザ情報、前記プローブ情報及び前記カーナビ情報からトリガーを感知し、該各情報の内容に基づき状況推定及びユーザに提供すべきコンテンツ検索のための条件を判断する処理を行うことを特徴とする請求項５５記載のコンテンツ推薦方法。
【請求項５７】
前記車載端末処理ステップは、リアルタイム、定期的な時間、前記記録したプローブ情報とカーナビ情報とがある一定の容量を満たした時、前記ユーザにより端末操作が行われた時、のいずれかの場合に前記車載端末記憶手段に記録された、前記ユーザ情報、前記プローブ情報及び前記カーナビ情報を出力するタイミングを処理することを特徴とする請求項５５記載のコンテンツ推薦方法。
【請求項５８】
前記コンテンツ提供後、前記ユーザが閲覧した閲覧情報を収集する閲覧情報収集ステップをさらに有することを特徴とする請求項５５から５７のいずれか１項に記載のコンテンツ推薦方法。
【請求項５９】
プッシュ配信又はプル配信のいずれか一方によってコンテンツを提供することを特徴とする請求項５５から５８のいずれか１項に記載のコンテンツ推薦方法。
【請求項６０】
車載端末装置とセンタサーバとがネットワークを介して接続され、車両内でユーザに対し最適なコンテンツを提供するコンテンツ推薦方法であって、
前記車載端末装置において、
前記車両のセンサと接続され、該車両のセンサから該車両に関するプローブ情報をリアルタイムに収集する車両情報収集ステップと、
走行経路を探索し、走行履歴及びユーザによるカーナビ操作の履歴を履歴情報として記録し、該履歴情報と、交通渋滞、現在地周辺、目的地周辺の道路情報と、を含むカーナビ情報、及び前記ユーザに関するユーザ情報を収集するカーナビ情報収集ステップと、
前記プローブ情報と、前記カーナビ情報及び前記ユーザ情報とを記録する車載端末記憶ステップと、
前記ユーザ情報、前記プローブ情報及び前記カーナビ情報を前記センタサーバへ出力するタイミングを処理する車載端末処理ステップと、
前記ユーザ情報、前記プローブ情報及び前記カーナビ情報を、前記タイミングに応じて、前記ネットワークを介して前記センタサーバへ送信する車載端末通信ステップと、
前記センタサーバにおいて、
前記ネットワークを介して前記ユーザ情報、前記プローブ情報及び前記カーナビ情報を受信するセンタ通信ステップと、
前記ユーザ情報を新たなユーザ情報として、また、前記プローブ情報及び前記カーナビ情報を併せて環境情報として、それぞれ所定の形式で生成する情報解析ステップと、
前記新たなユーザ情報及び前記環境情報を記録する情報記憶ステップと、
前記ユーザ情報及び前記環境情報に基づき、前記ユーザの車両の状況及び車両の周囲の状況、前記ユーザに提供すべきコンテンツの検索の条件、前記提供コンテンツを提供するタイミングをそれぞれ判断し、かつ前記ユーザの車両の状況及び車両の周囲の状況の先を予測することにより、前記ユーザへコンテンツを提供する提供タイミングの指示、及び前記ユーザに提供すべきコンテンツ検索のための検索条件を送信する情報処理ステップと、
前記検索条件に基づいて、店舗や施設に関する最適なコンテンツを検索し、前記提供タイミングの指示に従って前記検索コンテンツを送信するコンテンツ推薦ステップと、を有し、
前記検索コンテンツを前記車載端末装置へ送信することを特徴とするコンテンツ推薦方法。
【請求項６１】
前記情報処理ステップは、前記ユーザ情報、前記プローブ情報及び前記カーナビ情報からトリガーを感知し、該各情報の内容に基づき状況推定及びユーザに提供すべきコンテンツ検索のための条件を判断する処理を行うことを特徴とする請求項６０記載のコンテンツ推薦方法。
【請求項６２】
前記車載端末処理ステップは、リアルタイム、定期的な時間、前記記録したプローブ情報とカーナビ情報とがある一定の容量を満たした時、前記ユーザにより端末操作が行われた時、のいずれかの場合に前記車載端末記憶手段に記録された、前記ユーザ情報、前記プローブ情報及び前記カーナビ情報を出力するタイミングを処理することを特徴とする請求項６０記載のコンテンツ推薦方法。
【請求項６３】
前記コンテンツ提供後、前記ユーザが閲覧した閲覧情報を収集する閲覧情報収集ステップをさらに有することを特徴とする請求項６０から６２のいずれか１項に記載のコンテンツ推薦方法。
【請求項６４】
プッシュ配信又はプル配信のいずれか一方によってコンテンツを提供することを特徴とする請求項６０から６３のいずれか１項に記載のコンテンツ推薦方法。
【請求項６５】
前記情報記憶ステップは、前記ネットワークを介して接続される情報処理装置からユーザ情報を受信し、予め保持するユーザ情報の更新及び追加を行うことを特徴とする請求項５５から６４のいずれか１項に記載のコンテンツ推薦方法。
【請求項６６】
前記ユーザによって次の行動を示す目的情報が設定された場合、該目的情報に基づき、前記情報記憶ステップにおいて、前記ユーザの行動パターンを示す過去の履歴情報を抽出し、推定処理を行うことを特徴とする請求項４９から６５のいずれか１項に記載のコンテンツ推薦方法。
【請求項６７】
前記情報記憶ステップは、
前記ユーザ情報を格納するユーザ情報ステップと、
前記環境情報を格納する環境情報ステップと、
を有することを特徴とする請求項５５，６０，６５のいずれか１項に記載のコンテンツ推薦方法。
【請求項６８】
前記ユーザ情報は、
前記ユーザの年齢、性別、職業、趣味・嗜好等を示すユーザプロファイル情報と、
Webの閲覧情報、提供したコンテンツの閲覧情報、訪問した場所情報等を示す履歴情報と、
当日の予定、先の予定等のスケジュール情報と、を含み、
前記ユーザが事前に車載端末装置から登録した情報、及び前記ユーザの前記車載端末装置の利用過程において前記車載端末が自動的に記録した情報であることを特徴とする請求項４９から６７のいずれか１項に記載のコンテンツ推薦方法。
【請求項６９】
前記環境情報は、
時間、車両の位置、車速、ワイパ、燃料量、ブレーキ等、ユーザの車両の状況について示すプローブ情報と、
走行履歴、目的地までの経路及び距離、現在地周辺、目的地周辺、交通渋滞等のカーナビに元から登録されている情報、及びカーナビの機能によって収集できる走行距離、走行経路、走行場所等、車両の周囲の状況について示すカーナビ情報と、を含み、
前記ユーザの利用過程において車載端末が自動的に記録した情報であることを特徴とする請求項４９から６７のいずれか１項に記載のコンテンツ推薦方法。
【請求項７０】
車両内でユーザに対し最適なコンテンツを提供するようにコンピュータに実行させるためのコンテンツ推薦プログラムであって、
前記ユーザに関するユーザ情報と、該ユーザの車両に関する環境情報とを収集する情報収集処理と、
前記収集したユーザ情報及び環境情報を記録する情報記憶処理と、
前記情報記憶処理において記録された前記各情報に基づき、前記ユーザへ提供するコンテンツを検索するための条件を抽出する条件抽出処理と、
前記抽出条件に基づきコンテンツ記憶処理からコンテンツを検索するコンテンツ検索処理と、
をコンピュータに実行させるためのコンテンツ推薦プログラム。
【請求項７１】
車両内でユーザに対し最適なコンテンツを提供するようにコンピュータに実行させるためのコンテンツ推薦プログラムであって、
前記車両のセンサから該車両に関するプローブ情報をリアルタイムに収集する車両情報収集処理と、
走行経路を探索し、走行履歴及びユーザによるカーナビ操作の履歴を履歴情報として記録し、該履歴情報と、交通渋滞、現在地周辺、目的地周辺の道路情報と、を含むカーナビ情報、及び前記ユーザに関するユーザ情報を収集するカーナビ情報収集処理と、
前記プローブ情報と、前記カーナビ情報及び前記ユーザ情報とを記録する車載端末記憶処理と、
前記ユーザ情報、前記プローブ情報及び前記カーナビ情報を出力するタイミングを処理する車載端末処理処理と、
前記ユーザ情報を新たなユーザ情報として、前記プローブ情報及び前記カーナビ情報を元に環境情報として生成する情報解析処理と、
前記新たなユーザ情報及び前記環境情報を記録する情報記憶処理と、
前記新たなユーザ情報及び前記環境情報に基づき、前記ユーザにコンテンツを提供する提供タイミングの指示及びユーザに提供すべきコンテンツの検索のための条件の出力を行う情報処理処理と、
前記コンテンツの検索のための条件に従って、店舗や施設に関する最適なコンテンツを検索するコンテンツ推薦処理と、
前記コンテンツ推薦処理において、前記情報処理処理の前記提供タイミングの指示に従い、前記検索されたコンテンツを車載端末装置へ送信するコンテンツ送信処理と、
をコンピュータに実行させるためのコンテンツ推薦プログラム。
【請求項７２】
前記車載端末処理処理は、リアルタイム、定期的な時間、前記記録したプローブ情報とカーナビ情報とがある一定の容量を満たした時、前記ユーザにより端末操作が行われた時、のいずれかの場合に前記車載端末記憶手段に記録された、前記ユーザ情報、前記プローブ情報及び前記カーナビ情報を出力するタイミングの処理をコンピュータに実行させる請求項７１記載のコンテンツ推薦プログラム。
【請求項７３】
前記情報処理処理は、前記ユーザ情報及び前記環境情報からトリガーを感知し、該ユーザ情報及び該環境情報の内容に基づき、前記ユーザの状態、前記車両の状況及び該車両の周囲の状況が、どのような状態にあるかを判断し、前記ユーザにコンテンツを提供する提供タイミングを判断し、かつ、前記ユーザの状態、前記車両の状況及び該車両の周囲の状況の先を予測することにより、前記提供タイミングの指示及びユーザに提供すべきコンテンツの検索のための条件の出力をコンピュータに実行させる請求項７１記載のコンテンツ推薦プログラム。
【請求項７４】
前記コンテンツ提供後、前記ユーザが閲覧した閲覧情報を収集する閲覧情報収集処理をコンピュータに実行させる請求項７１から７３のいずれか１項に記載のコンテンツ推薦プログラム。
【請求項７５】
前記ユーザによって次の行動を示す目的情報が設定された場合、該目的情報に基づき、前記情報記憶処理において、前記ユーザの行動パターンを示す過去の履歴情報を抽出し、推定処理をコンピュータに実行させる請求項７１から７４のいずれか１項に記載のコンテンツ推薦プログラム。
【請求項７６】
前記情報記憶処理は、
前記ユーザ情報を格納するユーザ情報処理と、
前記環境情報を格納する環境情報処理と、
をコンピュータに実行させる特徴とする請求項７０から７５のいずれか１項に記載のコンテンツ推薦プログラム。
【請求項７７】
前記ユーザ情報は、
前記ユーザの年齢、性別、職業、趣味・嗜好等を示すユーザプロファイル情報と、
Webの閲覧情報、提供したコンテンツの閲覧情報、訪問した場所情報等を示す履歴情報と、
当日の予定、先の予定等のスケジュール情報と、を含み、
前記ユーザが事前に車載端末装置から登録した情報、及び前記ユーザの前記車載端末装置の利用過程において前記車載端末が自動的に記録した情報であることを特徴とする請求項７０から７６のいずれか１項に記載のコンテンツ推薦プログラム。
【請求項７８】
前記環境情報は、
時間、車両の位置、車速、ワイパ、燃料量、ブレーキ等、ユーザの車両の状況について示すプローブ情報と、
走行履歴、目的地までの経路及び距離、現在地周辺、目的地周辺、交通渋滞等のカーナビに元から登録されている情報、及びカーナビの機能によって収集できる走行距離、走行経路、走行場所等、車両の周囲の状況について示すカーナビ情報と、を含み、
前記ユーザの利用過程において車載端末が自動的に記録した情報であることを特徴とする請求項７０から７６のいずれか１項に記載のコンテンツ推薦プログラム。
【請求項７９】
車載端末装置とセンタサーバとがネットワークを介して接続され、車両内でユーザに対し最適なコンテンツを提供するようにコンピュータに実行させるためのコンテンツ推薦プログラムであって、
前記車載端末装置において、
前記車両のセンサから該車両に関するプローブ情報をリアルタイムに収集する車両情報収集処理と、
走行経路を探索し、走行履歴及びユーザによるカーナビ操作の履歴を履歴情報として記録し、該履歴情報と、交通渋滞、現在地周辺、目的地周辺の道路情報と、を含むカーナビ情報を収集するカーナビ情報収集処理と、
前記プローブ情報と、前記カーナビ情報とを記録する車載端末記憶処理と、
前記プローブ情報及び前記カーナビ情報に基づき前記ユーザに提供すべきコンテンツの検索を指示する検索指示情報を送信する車載端末処理処理と、
前記検索指示情報を、前記ネットワークを介して前記センタサーバへ送信する車載端末通信処理と、
前記センタサーバにおいて、
前記ネットワークを介して前記検索指示情報を受信するセンタ通信処理と、
前記検索指示情報に従って、店舗や施設に関する最適なコンテンツを検索し、前記検索コンテンツを前記車載端末装置へ送信するコンテンツ推薦処理と、
をコンピュータに実行させるためのコンテンツ推薦プログラム。
【請求項８０】
前記車載端末処理処理は、リアルタイム、定期的な時間、前記記録したプローブ情報とカーナビ情報とがある一定の容量を満たした時、前記ユーザにより端末操作が行われた時、のいずれかの場合に前記車載端末記憶手段に記録された、前記ユーザ情報、前記プローブ情報及び前記カーナビ情報を出力するタイミングを処理することをコンピュータに実行させる請求項７９記載のコンテンツ推薦プログラム。
【請求項８１】
前記コンテンツ提供後、前記ユーザが閲覧した閲覧情報を収集する閲覧情報収集処理をさらに有コンピュータに実行させる請求項７９又は８０記載のコンテンツ推薦プログラム。
【請求項８２】
車載端末装置とセンタサーバとがネットワークを介して接続され、車両内でユーザに対し最適なコンテンツを提供するようにコンピュータに実行させるためのコンテンツ推薦プログラムであって、
前記車載端末装置において、
前記車両のセンサから該車両に関するプローブ情報をリアルタイムに収集する車両情報収集処理と、
走行経路を探索し、走行履歴及びユーザによるカーナビ操作の履歴を履歴情報として記録し、該履歴情報と、交通渋滞、現在地周辺、目的地周辺の道路情報と、を含むカーナビ情報を収集するカーナビ情報収集処理と、
前記プローブ情報と、前記カーナビ情報とを記録する車載端末記憶処理と、
前記プローブ情報及び前記カーナビ情報を前記センタサーバへ出力するタイミングを処理する車載端末処理処理と、
前記プローブ情報及び前記カーナビ情報を、前記タイミングに応じて、前記ネットワークを介して前記センタサーバへ送信する車載端末通信処理と、
前記センタサーバにおいて、
前記ネットワークを介して前記プローブ情報及び前記カーナビ情報を受信するセンタ通信処理と、
前記プローブ情報及び前記カーナビ情報に基づき、前記ユーザの車両の状況及び車両の周囲の状況、前記ユーザに提供すべきコンテンツの検索の条件、前記提供コンテンツを提供するタイミングをそれぞれ判断し、かつ前記ユーザの車両の状況及び車両の周囲の状況の先を予測することにより、前記ユーザへコンテンツを提供する提供タイミングの指示、及び前記ユーザに提供すべきコンテンツ検索のための検索条件を送信する情報処理処理と、
前記検索条件に基づいて、店舗や施設に関する最適なコンテンツを検索し、前記提供タイミングの指示に従って前記検索コンテンツを前記車載端末装置へ送信するコンテンツ推薦処理と、
をコンピュータに実行させるためのコンテンツ推薦プログラム。
【請求項８３】
前記車載端末処理処理は、リアルタイム、定期的な時間、前記記録したプローブ情報とカーナビ情報とがある一定の容量を満たした時、前記ユーザにより端末操作が行われた時、のいずれかの場合に前記車載端末記憶手段に記録された、前記ユーザ情報、前記プローブ情報及び前記カーナビ情報を出力するタイミングを処理することをコンピュータに実行させる請求項８２記載のコンテンツ推薦プログラム。
【請求項８４】
前記コンテンツ提供後、前記ユーザが閲覧した閲覧情報を収集する閲覧情報収集処理をさらにコンピュータに実行させる請求項８２又は８３記載のコンテンツ推薦プログラム。
【請求項８５】
プッシュ配信又はプル配信のいずれか一方によってコンテンツを提供するようにコンピュータに実行させる請求項８２から８４のいずれか１項に記載のコンテンツ推薦プログラム。
【請求項８６】
車載端末装置とセンタサーバとがネットワークを介して接続され、車両内でユーザに対し最適なコンテンツを提供するコンテンツ推薦プログラムであって、
前記車載端末装置において、
前記車両のセンサと接続され、該車両のセンサから該車両に関するプローブ情報をリアルタイムに収集する車両情報収集処理と、
走行経路を探索し、走行履歴及びユーザによるカーナビ操作の履歴を履歴情報として記録し、該履歴情報と、交通渋滞、現在地周辺、目的地周辺の道路情報と、を含むカーナビ情報、及び前記ユーザに関するユーザ情報を収集するカーナビ情報収集処理と、
前記プローブ情報と、前記カーナビ情報及び前記ユーザ情報とを記録する車載端末記憶処理と、
前記ユーザ情報、前記プローブ情報及び前記カーナビ情報を前記センタサーバへ出力するタイミングを処理する車載端末処理処理と、
前記ユーザ情報、前記プローブ情報及び前記カーナビ情報を、前記タイミングに応じて、前記ネットワークを介して前記センタサーバへ送信する車載端末通信処理と、
前記センタサーバにおいて、
前記ネットワークを介して前記ユーザ情報、前記プローブ情報及び前記カーナビ情報を受信するセンタ通信処理と、
前記ユーザ情報と、前記プローブ情報及び前記カーナビ情報を併せた前記環境情報とを記録する情報記憶処理と、
前記ユーザ情報及び前記環境情報に基づき、前記ユーザの車両の状況及び車両の周囲の状況、前記ユーザに提供すべきコンテンツの検索の条件、前記提供コンテンツを提供するタイミングをそれぞれ判断し、かつ前記ユーザの車両の状況及び車両の周囲の状況の先を予測することにより、前記ユーザへコンテンツを提供する提供タイミングの指示、及び前記ユーザに提供すべきコンテンツ検索のための検索条件を送信する情報処理処理と、
前記検索条件に基づいて、店舗や施設に関する最適なコンテンツを検索し、前記提供タイミングの指示に従って前記検索コンテンツを前記車載端末装置へ送信するコンテンツ推薦処理と、
をコンピュータに実行させるためのコンテンツ推薦プログラム。
【請求項８７】
前記情報処理処理は、前記ユーザ情報、前記プローブ情報及び前記カーナビ情報からトリガーを感知し、該各情報の内容に基づき状況推定及びユーザに提供すべきコンテンツ検索のための条件を判断する処理をコンピュータに実行させる請求項８６記載のコンテンツ推薦プログラム。
【請求項８８】
前記車載端末処理処理は、リアルタイム、定期的な時間、前記記録したプローブ情報とカーナビ情報とがある一定の容量を満たした時、前記ユーザにより端末操作が行われた時、のいずれかの場合に前記車載端末記憶手段に記録された、前記ユーザ情報、前記プローブ情報及び前記カーナビ情報を出力するタイミングを処理することをコンピュータに実行させる請求項８６記載のコンテンツ推薦プログラム。
【請求項８９】
前記コンテンツ提供後、前記ユーザが閲覧した閲覧情報を収集する閲覧情報収集処理をさらにコンピュータに実行させる請求項８６から８８のいずれか１項に記載のコンテンツ推薦プログラム。
【請求項９０】
プッシュ配信又はプル配信のいずれか一方によってコンテンツを提供するようにコンピュータに実行させる請求項８６から８９のいずれか１項に記載のコンテンツ推薦プログラム。
【請求項９１】
車載端末装置とセンタサーバとがネットワークを介して接続され、車両内でユーザに対し最適なコンテンツを提供するようにコンピュータに実行させるためのコンテンツ推薦プログラムであって、
前記車載端末装置において、
前記車両のセンサと接続され、該車両のセンサから該車両に関するプローブ情報をリアルタイムに収集する車両情報収集処理と、
走行経路を探索し、走行履歴及びユーザによるカーナビ操作の履歴を履歴情報として記録し、該履歴情報と、交通渋滞、現在地周辺、目的地周辺の道路情報と、を含むカーナビ情報、及び前記ユーザに関するユーザ情報を収集するカーナビ情報収集処理と、
前記プローブ情報と、前記カーナビ情報及び前記ユーザ情報とを記録する車載端末記憶処理と、
前記ユーザ情報、前記プローブ情報及び前記カーナビ情報を前記センタサーバへ出力するタイミングを処理する車載端末処理処理と、
前記ユーザ情報、前記プローブ情報及び前記カーナビ情報を、前記タイミングに応じて、前記ネットワークを介して前記センタサーバへ送信する車載端末通信処理と、
前記センタサーバにおいて、
前記ネットワークを介して前記ユーザ情報、前記プローブ情報及び前記カーナビ情報を受信するセンタ通信処理と、
前記ユーザ情報を新たなユーザ情報として、また、前記プローブ情報及び前記カーナビ情報を併せて環境情報として、それぞれ所定の形式で生成する情報解析処理と、
前記新たなユーザ情報及び前記環境情報を記録する情報記憶処理と、
前記ユーザ情報及び前記環境情報に基づき、前記ユーザの車両の状況及び車両の周囲の状況、前記ユーザに提供すべきコンテンツの検索の条件、前記提供コンテンツを提供するタイミングをそれぞれ判断し、かつ前記ユーザの車両の状況及び車両の周囲の状況の先を予測することにより、前記ユーザへコンテンツを提供する提供タイミングの指示、及び前記ユーザに提供すべきコンテンツ検索のための検索条件を送信する情報処理処理と、
前記検索条件に基づいて、店舗や施設に関する最適なコンテンツを検索し、前記提供タイミングの指示に従って前記検索コンテンツを前記車載端末装置へ送信するコンテンツ推薦処理と、
をコンピュータに実行させるためのコンテンツ推薦プログラム。
【請求項９２】
前記情報処理処理は、前記ユーザ情報、前記プローブ情報及び前記カーナビ情報からトリガーを感知し、該各情報の内容に基づき状況推定及びユーザに提供すべきコンテンツ検索のための条件を判断する処理をコンピュータに実行させる請求項９１記載のコンテンツ推薦プログラム。
【請求項９３】
前記車載端末処理処理は、リアルタイム、定期的な時間、前記記録したプローブ情報とカーナビ情報とがある一定の容量を満たした時、前記ユーザにより端末操作が行われた時、のいずれかの場合に前記車載端末記憶手段に記録された、前記ユーザ情報、前記プローブ情報及び前記カーナビ情報を出力するタイミングを処理することをコンピュータに実行させる請求項９１記載のコンテンツ推薦プログラム。
【請求項９４】
前記コンテンツ提供後、前記ユーザが閲覧した閲覧情報を収集する閲覧情報収集処理をさらにコンピュータに実行させる請求項９１から９３のいずれか１項に記載のコンテンツ推薦プログラム。
【請求項９５】
プッシュ配信又はプル配信のいずれか一方によってコンテンツを提供するようにコンピュータに実行させる請求項９１から９４のいずれか１項に記載のコンテンツ推薦プログラム。
【請求項９６】
前記情報記憶処理は、前記ネットワークを介して接続される情報処理装置からユーザ情報を受信し、予め保持するユーザ情報の更新及び追加をコンピュータに実行させる請求項８６から９５のいずれか１項に記載のコンテンツ推薦プログラム。
【請求項９７】
前記ユーザによって次の行動を示す目的情報が設定された場合、該目的情報に基づき、前記情報記憶処理において、前記ユーザの行動パターンを示す過去の履歴情報を抽出し、推定処理をコンピュータに実行させる請求項８０から９６のいずれか１項に記載のコンテンツ推薦プログラム。
【請求項９８】
前記情報記憶処理は、
前記ユーザ情報を格納するユーザ情報処理と、
前記環境情報を格納する環境情報処理と、
をコンピュータに実行させる請求項８６，９１，９６のいずれか１項に記載のコンテンツ推薦プログラム。
【請求項９９】
前記ユーザ情報は、
前記ユーザの年齢、性別、職業、趣味・嗜好等を示すユーザプロファイル情報と、
Webの閲覧情報、提供したコンテンツの閲覧情報、訪問した場所情報等を示す履歴情報と、
当日の予定、先の予定等のスケジュール情報と、を含み、
前記ユーザが事前に車載端末装置から登録した情報、及び前記ユーザの前記車載端末装置の利用過程において前記車載端末が自動的に記録した情報であることを特徴とする請求項８０から９８のいずれか１項に記載のコンテンツ推薦プログラム。
【請求項１００】
前記環境情報は、
時間、車両の位置、車速、ワイパ、燃料量、ブレーキ等、ユーザの車両の状況について示すプローブ情報と、
走行履歴、目的地までの経路及び距離、現在地周辺、目的地周辺、交通渋滞等のカーナビに元から登録されている情報、及びカーナビの機能によって収集できる走行距離、走行経路、走行場所等、車両の周囲の状況について示すカーナビ情報と、を含み、
前記ユーザの利用過程において車載端末が自動的に記録した情報であることを特徴とする請求項８０から９８のいずれか１項に記載のコンテンツ推薦プログラム。
【請求項１０１】
前記情報記憶処理、前記情報解析処理、前記情報処理のうち少なくとも１つを、前記車載装置のコンピュータに実行させる請求項８２から９８のいずれか１項に記載のコンテンツ推薦プログラム。
【発明の詳細な説明】
【技術分野】
【０００１】
本発明は、携帯電話などの通信を介してセンタから車載端末に情報・コンテンツ提供を行うシステムに関し、詳しくは、ユーザコンテキストと環境コンテキストを利用し、ユーザに対し、ユーザの状態及びユーザの車両の状況及び車の周囲の状況に応じたコンテンツの検索及びコンテンツを提供するタイミングを処理し、ユーザにとって適切なコンテンツを提供する車載端末装置、コンテンツ推薦システム、センタサーバ、コンテンツ推薦方法及びコンテンツ推薦プログラムに関する。
【背景技術】
【０００２】
従来技術例として、カーナビゲーションや空調機器、ＡＶ機器等の操作について、時間情報、位置情報、車両情報を用いて自動的に行う仕組みを構築することによって、運転者に対して時間、場所、車両情報に応じたタイムリーな情報を提示することが可能な「車載機器制御装置」がある（例えば、特許文献１参照）。
【特許文献１】特開２０００−３１８５４４号公報
【発明の開示】
【発明が解決しようとする課題】
【０００３】
しかしながら、従来のシステムでは、ユーザが事前に登録した、年齢、性別、嗜好等の情報及びコンテンツ閲覧の履歴の情報及び時間、車両の位置に応じたコンテンツの検索及びコンテンツを提供する機能に留まっており、プローブ情報及びカーナビ情報に基づき、車両の状況や車両の周囲の状況に基づくコンテンツ検索やコンテンツ提供のタイミングを考慮したコンテンツ提供ができないといった問題があった。
【０００４】
本発明は、上記事情に鑑みてなされたものであり、ユーザ情報及びプローブ情報及びカーナビ情報を車載端末にて収集し、収集したユーザ情報及びプローブ情報及びカーナビ情報に基づきユーザコンテキスト環境コンテキストとして記録する記憶手段と、各記憶手段に記録されたコンテキストに基づき、ユーザへ提供するコンテンツを検索するための条件を抽出する手段と、前記条件に基づきコンテンツの記憶手段からコンテンツを検索する手段を有することにより、携帯電話などの通信を介してセンタから車載端末に情報（コンテンツ）提供を行うシステムとして、ユーザコンテキストと環境コンテキストを利用し、ユーザに対し、ユーザの状態及びユーザの車両の状況及び車の周囲の状況に応じたコンテンツの検索及びコンテンツを提供するタイミングを処理し、ユーザにとって適切なコンテンツを提供することを目的とする。
【課題を解決するための手段】
【０００５】
係る目的を達成するために、請求項１記載の発明は、車両内に搭載された車載端末装置であって、ユーザに関するユーザ情報と、ユーザの車両に関する環境情報とを収集する情報収集手段と、収集したユーザ情報及び環境情報を記録する情報記憶手段と、情報記憶手段に記録された各情報に基づき、ユーザへ提供するコンテンツを検索するための条件を抽出する条件抽出手段と、抽出条件に基づきコンテンツ記憶手段からコンテンツを検索するコンテンツ検索手段と、を有し、ユーザの状態、ユーザの車両の状況及び車の周囲の状況に応じて、ユーザにとって適切なコンテンツの検索、及びコンテンツ提供のタイミングを処理することを特徴とする。
【０００６】
請求項２記載の発明は、車両内に搭載された車載端末装置であって、車両のセンサと接続され、車両のセンサから車両に関するプローブ情報をリアルタイムに収集する車両情報収集部と、走行経路を探索し、走行履歴及びユーザによるカーナビ操作の履歴を履歴情報として記録し、履歴情報と、交通渋滞、現在地周辺、目的地周辺の道路情報と、を含むカーナビ情報を表示するとともに、ユーザに関するユーザ情報を収集するカーナビ機能部と、車両情報収集部から受信したプローブ情報と、カーナビ機能部から受信したカーナビ情報及びユーザ情報とを記録する車載端末記憶手段と、ユーザ情報、プローブ情報及びカーナビ情報を出力するタイミングを処理する車載端末処理部と、車載端末処理部から入力された、ユーザ情報を新たなユーザ情報として、プローブ情報及びカーナビ情報を元に環境情報として生成する情報解析部と、情報解析部で生成された、新たなユーザ情報及び環境情報を記録する情報記憶手段と、新たなユーザ情報及び環境情報に基づき、ユーザにコンテンツを提供する提供タイミングの指示及びユーザに提供すべきコンテンツの検索のための条件の出力を行う情報処理部と、店舗や施設に関するPOI情報が記録されているコンテンツ記憶手段と、情報処理部から入力された、コンテンツの検索のための条件に従って、コンテンツ記憶手段から最適なコンテンツを検索するコンテンツ推薦部と、を有し、コンテンツ推薦部は、情報処理部からの提供タイミングの指示に従い、検索されたコンテンツを車載端末処理部へ送信し、車載端末処理部は、コンテンツ推薦部から受信した検索されたコンテンツをカーナビ機能部に送信し、カーナビ機能部は、車載端末処理部から受信した検索されたコンテンツをディスプレイに表示することを特徴とする。
【０００７】
請求項３記載の発明は、請求項２記載の発明において、車載端末処理部は、リアルタイム、定期的な時間、記録したプローブ情報とカーナビ情報とがある一定の容量を満たした時、ユーザにより端末操作が行われた時、のいずれかの場合に車載端末記憶手段に記録された、ユーザ情報、プローブ情報及びカーナビ情報を出力するタイミングを処理することを特徴とする。
【０００８】
請求項４記載の発明は、請求項２記載の発明において、情報処理部は、情報記憶手段に記録された、ユーザ情報及び環境情報からトリガーを感知し、ユーザ情報及び環境情報の内容に基づき、ユーザの状態、車両の状況及び車両の周囲の状況が、どのような状態にあるかを判断し、ユーザにコンテンツを提供する提供タイミングを判断し、かつ、ユーザの状態、車両の状況及び車両の周囲の状況の先を予測することにより、提供タイミングの指示及びユーザに提供すべきコンテンツの検索のための条件の出力を行うことを特徴とする。
【０００９】
請求項５記載の発明は、請求項２から４のいずれか１項に記載の発明において、コンテンツ提供後、ユーザが閲覧した閲覧情報が、カーナビ機能部によって収集され、車載端末記憶手段に記録されることを特徴とする。
【００１０】
請求項６記載の発明は、請求項５記載の発明において、車載端末処理部は、車載端末記憶手段に記録された、閲覧情報を情報解析部へ送信し、情報解析部は、閲覧情報を履歴情報として情報記憶手段に記録することを特徴とする。
【００１１】
請求項７記載の発明は、請求項２から６のいずれか１項に記載の発明において、カーナビ機能部は、ユーザによって次の行動を示す目的情報が設定された場合、目的情報を、車載端末処理部を介して情報処理部へ送信し、情報処理部は、目的情報に基づき、情報記憶手段からユーザの行動パターンを示す過去の履歴情報を抽出し、推定処理を行うことを特徴とする。
【００１２】
請求項８記載の発明は、請求項１から７のいずれか１項に記載の発明において、情報記憶手段は、ユーザ情報を格納するユーザ情報記憶部と、環境情報を格納する環境情報記憶部と、を有することを特徴とする。
【００１３】
請求項９記載の発明は、請求項１から７のいずれか１項に記載の発明において、ユーザ情報は、ユーザの年齢、性別、職業、趣味・嗜好等を示すユーザプロファイル情報と、Webの閲覧情報、提供したコンテンツの閲覧情報、訪問した場所情報等を示す履歴情報と、当日の予定、先の予定等のスケジュール情報と、を含み、ユーザが事前に車載端末装置から登録した情報、及びユーザの車載端末装置の利用過程において車載端末が自動的に記録した情報であることを特徴とする。
【００１４】
請求項１０記載の発明は、請求項１から９のいずれか１項に記載の発明において、環境情報は、時間、車両の位置、車速、ワイパ、燃料量、ブレーキ等、ユーザの車両の状況について示すプローブ情報と、走行履歴、目的地までの経路及び距離、現在地周辺、目的地周辺、交通渋滞等のカーナビに元から登録されている情報、及びカーナビの機能によって収集できる走行距離、走行経路、走行場所等、車両の周囲の状況について示すカーナビ情報と、を含み、ユーザの利用過程において車載端末が自動的に記録した情報であることを特徴とする。
【００１５】
請求項１１記載の発明は、車載端末装置とセンタサーバとがネットワークを介して接続されたコンテンツ推薦システムであって、車載端末装置は、車両のセンサと接続され、車両のセンサから車両に関するプローブ情報をリアルタイムに収集する車両情報収集部と、走行経路を探索し、走行履歴及びユーザによるカーナビ操作の履歴を履歴情報として記録し、履歴情報と、交通渋滞、現在地周辺、目的地周辺の道路情報と、を含むカーナビ情報を表示するカーナビ機能部と、車両情報収集部から受信したプローブ情報と、カーナビ機能部から受信したカーナビ情報とを記録する車載端末記憶手段と、プローブ情報及びカーナビ情報に基づきユーザに提供すべきコンテンツの検索を指示する検索指示情報を送信する車載端末処理部と、検索指示情報を、ネットワークを介してセンタサーバへ送信する車載端末通信部と、を有し、センタサーバは、ネットワークを介して車載端末通信部から検索指示情報を受信するセンタ通信部と、店舗や施設に関するPOI情報が記録されているコンテンツ記憶手段と、検索指示情報に従って、コンテンツ記憶手段から最適なコンテンツを検索し、検索コンテンツをセンタ通信部へ送信するコンテンツ推薦部と、を有し、センタ通信部は、コンテンツ推薦部から受信した検索コンテンツを車載端末通信部へ送信し、車載端末通信部は、検索コンテンツを、車載端末処理部を介してカーナビ機能部へ送信し、カーナビ機能部は、検索コンテンツを表示することを特徴とする。
【００１６】
請求項１２記載の発明は、請求項１１記載の発明において、車載端末処理部は、リアルタイム、定期的な時間、記録したプローブ情報とカーナビ情報とがある一定の容量を満たした時、ユーザにより端末操作が行われた時、のいずれかの場合に車載端末記憶手段に記録された、プローブ情報及びカーナビ情報を出力するタイミングを処理することを特徴とする。
【００１７】
請求項１３記載の発明は、請求項１１又は１２記載の発明において、コンテンツ提供後、ユーザが閲覧した閲覧情報が、カーナビ機能部によって収集され、車載端末記憶手段に記録されることを特徴とする。
【００１８】
請求項１４記載の発明は、車載端末装置とセンタサーバとがネットワークを介して接続されたコンテンツ推薦システムであって、車載端末装置は、車両のセンサと接続され、車両のセンサから車両に関するプローブ情報をリアルタイムに収集する車両情報収集部と、走行経路を探索し、走行履歴及びユーザによるカーナビ操作の履歴を履歴情報として記録し、履歴情報と、交通渋滞、現在地周辺、目的地周辺の道路情報と、を含むカーナビ情報を表示するカーナビ機能部と、車両情報収集部から受信したプローブ情報と、カーナビ機能部から受信したカーナビ情報とを記録する車載端末記憶手段と、プローブ情報及びカーナビ情報をセンタサーバへ出力するタイミングを処理する車載端末処理部と、車載端末記憶手段に記録された、プローブ情報及びカーナビ情報を、車載端末処理部が処理したタイミングに応じて、ネットワークを介してセンタサーバへ送信する車載端末通信部と、を有し、センタサーバは、ネットワークを介して車載端末通信部からプローブ情報及びカーナビ情報を受信するセンタ通信部と、店舗や施設に関するPOI情報が記録されているコンテンツ記憶手段と、車載端末処理部から受信した、プローブ情報及びカーナビ情報に基づき、ユーザの車両の状況及び車両の周囲の状況、ユーザに提供すべきコンテンツの検索の条件、提供コンテンツを提供するタイミングをそれぞれ判断し、かつユーザの車両の状況及び車両の周囲の状況の先を予測することにより、ユーザへコンテンツを提供する提供タイミングの指示、及びユーザに提供すべきコンテンツ検索のための検索条件を送信する情報処理部と、情報処理部から受信した検索条件に基づいて、コンテンツ記憶手段から最適なコンテンツを検索し、情報処理部から受信した提供タイミングの指示に従って検索コンテンツをセンタ通信部へ送信するコンテンツ推薦部と、を有し、センタ通信部は、コンテンツ推薦部から受信した検索コンテンツを車載端末通信部へ送信し、車載端末通信部は、検索コンテンツを、車載端末処理部を介してカーナビ機能部へ送信し、カーナビ機能部は、検索コンテンツを表示することを特徴とする。
【００１９】
請求項１５記載の発明は、請求項１４記載の発明において、車載端末処理部は、リアルタイム、定期的な時間、記録したプローブ情報とカーナビ情報とがある一定の容量を満たした時、ユーザにより端末操作が行われた時、のいずれかの場合に車載端末記憶手段に記録された、プローブ情報及びカーナビ情報を出力するタイミングを処理することを特徴とする。
【００２０】
請求項１６記載の発明において、請求項１４又は１５記載の発明において、コンテンツ提供後、ユーザが閲覧した閲覧情報が、カーナビ機能部によって収集され、車載端末記憶手段に記録されることを特徴とする。
【００２１】
請求項１７記載の発明は、請求項１４から１６のいずれか１項に記載の発明において、プッシュ配信又はプル配信のいずれか一方によってコンテンツを提供することを特徴とする。
【００２２】
請求項１８記載の発明は、車載端末装置とセンタサーバとがネットワークを介して接続されたコンテンツ推薦システムであって、車載端末装置は、車両のセンサと接続され、車両のセンサから車両に関するプローブ情報をリアルタイムに収集する車両情報収集部と、走行経路を探索し、走行履歴及びユーザによるカーナビ操作の履歴を履歴情報として記録し、履歴情報と、交通渋滞、現在地周辺、目的地周辺の道路情報と、を含むカーナビ情報を表示するとともに、ユーザに関するユーザ情報を収集するカーナビ機能部と、車両情報収集部から受信したプローブ情報と、カーナビ機能部から受信したカーナビ情報及びユーザ情報とを記録する車載端末記憶手段と、ユーザ情報、プローブ情報及びカーナビ情報をセンタサーバへ出力するタイミングを処理する車載端末処理部と、車載端末記憶手段に記録された、ユーザ情報、プローブ情報及びカーナビ情報を、車載端末処理部が処理したタイミングに応じて、ネットワークを介してセンタサーバへ送信する車載端末通信部と、を有し、センタサーバは、ネットワークを介して車載端末通信部からユーザ情報、プローブ情報及びカーナビ情報を受信するセンタ通信部と、センタ通信部から受信した、ユーザ情報と、プローブ情報及びカーナビ情報を併せた環境情報とを記録する情報記憶手段と、店舗や施設に関するPOI情報が記録されているコンテンツ記憶手段と、情報記憶手段のユーザ情報及び環境情報に基づき、ユーザの車両の状況及び車両の周囲の状況、ユーザに提供すべきコンテンツの検索の条件、提供コンテンツを提供するタイミングをそれぞれ判断し、かつユーザの車両の状況及び車両の周囲の状況の先を予測することにより、ユーザへコンテンツを提供する提供タイミングの指示、及びユーザに提供すべきコンテンツ検索のための検索条件を送信する情報処理部と、情報処理部から受信した検索条件に基づいて、コンテンツ記憶手段から最適なコンテンツを検索し、情報処理部から受信した提供タイミングの指示に従って検索コンテンツをセンタ通信部へ送信するコンテンツ推薦部と、を有し、センタ通信部は、コンテンツ推薦部から受信した検索コンテンツを車載端末通信部へ送信し、車載端末通信部は、検索コンテンツを、車載端末処理部を介してカーナビ機能部へ送信し、カーナビ機能部は、検索コンテンツを表示することを特徴とする。
【００２３】
請求項１９記載の発明は、請求項１８記載の発明において、ユーザ情報、プローブ情報及びカーナビ情報は、車両情報収集部とカーナビ機能部とから収集され、車載端末記憶手段に記録されることを特徴とする。
【００２４】
請求項２０記載の発明は、請求項１９記載の発明において、情報処理部は、情報記憶手段に記録された、ユーザ情報、プローブ情報及びカーナビ情報からトリガーを感知し、各情報の内容に基づき状況推定及びユーザに提供すべきコンテンツ検索のための条件を判断する処理を行うことを特徴とする。
【００２５】
請求項２１記載の発明は、請求項１８から２０のいずれか１項に記載の発明において、コンテンツ提供後、ユーザが閲覧した閲覧情報が、カーナビ機能部によって収集され、車載端末記憶手段に記録されることを特徴とする。
【００２６】
請求項２２記載の発明は、請求項２１記載の発明において、車載端末処理部は、車載端末記憶手段に記録された、閲覧情報を情報解析部へ送信し、情報解析部は、閲覧情報を履歴情報として情報記憶手段に記録することを特徴とする。
【００２７】
請求項２３記載の発明は、請求項１８から２２いずれか１項に記載の発明において、車載端末処理部は、リアルタイム、定期的な時間、記録したプローブ情報とカーナビ情報とがある一定の容量を満たした時、ユーザにより端末操作が行われた時、のいずれかの場合に車載端末記憶手段に記録された、ユーザ情報、プローブ情報及びカーナビ情報を出力するタイミングを処理することを特徴とする。
【００２８】
請求項２４記載の発明は、請求項１８から２３いずれか１項に記載の発明において、プッシュ配信又はプル配信のいずれか一方によってコンテンツを提供することを特徴とする。
【００２９】
請求項２５記載の発明は、車載端末装置とセンタサーバとがネットワークを介して接続されたコンテンツ推薦システムであって、車載端末装置は、車両のセンサと接続され、車両のセンサから車両に関するプローブ情報をリアルタイムに収集する車両情報収集部と、走行経路を探索し、走行履歴及びユーザによるカーナビ操作の履歴を履歴情報として記録し、履歴情報と、交通渋滞、現在地周辺、目的地周辺の道路情報と、を含むカーナビ情報を表示するとともに、ユーザに関するユーザ情報を収集するカーナビ機能部と、車両情報収集部から受信したプローブ情報と、カーナビ機能部から受信したカーナビ情報及びユーザ情報とを記録する車載端末記憶手段と、ユーザ情報、プローブ情報及びカーナビ情報をセンタサーバへ出力するタイミングを処理する車載端末処理部と、車載端末記憶手段に記録された、ユーザ情報、プローブ情報及びカーナビ情報を、車載端末処理部が処理したタイミングに応じて、ネットワークを介してセンタサーバへ送信する車載端末通信部と、を有し、センタサーバは、ネットワークを介して車載端末通信部からユーザ情報、プローブ情報及びカーナビ情報を受信するセンタ通信部と、センタ通信部から入力された、ユーザ情報を新たなユーザ情報として、また、プローブ情報及びカーナビ情報を併せて環境情報として、それぞれ所定の形式で生成する情報解析部と、新たなユーザ情報及び環境情報を記録する情報記憶手段と、店舗や施設に関するPOI情報が記録されているコンテンツ記憶手段と、情報記憶手段に記憶された、新たなユーザ情報及び環境情報に基づき、ユーザの車両の状況及び車両の周囲の状況、ユーザに提供すべきコンテンツの検索の条件、提供コンテンツを提供するタイミングをそれぞれ判断し、かつユーザの車両の状況及び車両の周囲の状況の先を予測することにより、ユーザへコンテンツを提供する提供タイミングの指示、及びユーザに提供すべきコンテンツ検索のための検索条件を送信する情報処理部と、情報処理部から受信した検索条件に基づいて、コンテンツ記憶手段から最適なコンテンツを検索し、情報処理部から受信した提供タイミングの指示に従って検索コンテンツをセンタ通信部へ送信するコンテンツ推薦部と、を有し、センタ通信部は、コンテンツ推薦部から受信した検索コンテンツを車載端末通信部へ送信し、車載端末通信部は、検索コンテンツを、車載端末処理部を介してカーナビ機能部へ送信し、カーナビ機能部は、検索コンテンツを表示することを特徴とする。
【００３０】
請求項２６記載の発明は、請求項２５記載の発明において、ユーザ情報、プローブ情報及びカーナビ情報は、車両情報収集部とカーナビ機能部とから収集され、車載端末記憶手段に記録されることを特徴とする。
【００３１】
請求項２７記載の発明は、請求項２５記載の発明において、情報処理部は、情報記憶手段に記録された、ユーザ情報、プローブ情報及びカーナビ情報からトリガーを感知し、各情報の内容に基づき状況推定及びユーザに提供すべきコンテンツ検索のための条件を判断する処理を行うことを特徴とする。
【００３２】
請求項２８記載の発明は、請求項２５から２７いずれか１項に記載の発明において、コンテンツ提供後、ユーザが閲覧した閲覧情報が、カーナビ機能部によって収集され、車載端末記憶手段に記録されることを特徴とする。
【００３３】
請求項２９記載の発明は、請求項２８記載の発明において、車載端末処理部は、車載端末記憶手段に記録された、閲覧情報を情報解析部へ送信し、情報解析部は、閲覧情報を履歴情報として情報記憶手段に記録することを特徴とする。
【００３４】
請求項３０記載の発明は、請求項２５から２９いずれか１項に記載の発明において、車載端末処理部は、リアルタイム、定期的な時間、記録したプローブ情報とカーナビ情報とがある一定の容量を満たした時、ユーザにより端末操作が行われた時、のいずれかの場合に車載端末記憶手段に記録された、プローブ情報及びカーナビ情報を出力するタイミングを処理することを特徴とする。
【００３５】
請求項３１記載の発明は、請求項２５から３０いずれか１項に記載の発明において、プッシュ配信又はプル配信のいずれか一方によってコンテンツを提供することを特徴とする。
【００３６】
請求項３２記載の発明は、請求項２５から３１いずれか１項に記載の発明において、情報記憶手段は、ネットワークを介して接続される情報処理装置からユーザ情報を受信し、予め保持するユーザ情報の更新及び追加を行うことを特徴とする。
【００３７】
請求項３３記載の発明は、請求項２５から３２のいずれか１項に記載の発明において、カーナビ機能部は、ユーザによって次の行動を示す目的情報が設定された場合、目的情報を、車載端末処理部を介して車載端末通信部からセンタ通信部へ送信し、センタ通信部は、受信した目的情報を情報処理部に送信し、情報処理部は、目的情報に基づき、情報記憶手段からユーザの行動パターンを示す過去の履歴情報を抽出し、推定処理を行うことを特徴とする。
【００３８】
請求項３４記載の発明は、請求項１１から３３のいずれか１項に記載の発明において、ユーザ情報は、ユーザの年齢、性別、職業、趣味・嗜好等を示すユーザプロファイル情報と、Webの閲覧情報、提供したコンテンツの閲覧情報、訪問した場所情報等を示す履歴情報と、当日の予定、先の予定等のスケジュール情報と、を含み、ユーザが事前にカーナビ機能部から登録した情報、及びユーザの車載端末の利用過程においてカーナビ機能部が自動的に記録した情報であることを特徴とする。
【００３９】
請求項３５記載の発明は、請求項１１から３３のいずれか１項に記載の発明において、環境情報は、時間、車両の位置、車速、ワイパ、燃料量、ブレーキ等、ユーザの車両の状況について示すプローブ情報と、走行履歴、目的地までの経路及び距離、現在地周辺、目的地周辺、交通渋滞等のカーナビに元から登録されている情報、及びカーナビ機能によって収集できる走行距離、走行経路、走行場所等、車両の周囲の状況について示すカーナビ情報と、を含み、ユーザの車載端末の利用過程において車載端末が自動的に記録した情報であることを特徴とする。
【００４０】
請求項３６記載の発明は、請求項１１から３５のいずれか１項に記載の発明において、情報記憶手段、情報解析部、情報処理部のうち少なくとも１つが、車載端末装置に備えられることを特徴とする。
【００４１】
請求項３７記載の発明は、請求項１８，２５，３２，３６のいずれか１項に記載の発明において、情報記憶手段は、ユーザ情報を格納するユーザ情報記憶部と、環境情報を格納する環境情報記憶部と、を有することを特徴とする。
【００４２】
請求項３８記載の発明は、請求項１１ら３７のいずれか１項に記載のコンテンツ推薦システムで用いられるセンタサーバ装置であることを特徴とする。
【００４３】
請求項３９記載の発明は、車両内でユーザに対し最適なコンテンツを提供するコンテンツ推薦方法であって、ユーザに関するユーザ情報と、ユーザの車両に関する環境情報とを収集する情報収集ステップと、収集したユーザ情報及び環境情報を記録する情報記憶ステップと、情報記憶ステップにおいて記録された各情報に基づき、ユーザへ提供するコンテンツを検索するための条件を抽出する条件抽出ステップと、抽出条件に基づきコンテンツ記憶ステップからコンテンツを検索するコンテンツ検索ステップと、を有し、ユーザの状態、ユーザの車両の状況及び車の周囲の状況に応じて、ユーザにとって適切なコンテンツの検索、及びコンテンツ提供のタイミングを処理することを特徴とする。
【００４４】
請求項４０記載の発明は、車両内でユーザに対し最適なコンテンツを提供するコンテンツ推薦方法であって、車両のセンサから車両に関するプローブ情報をリアルタイムに収集する車両情報収集ステップと、走行経路を探索し、走行履歴及びユーザによるカーナビ操作の履歴を履歴情報として記録し、履歴情報と、交通渋滞、現在地周辺、目的地周辺の道路情報と、を含むカーナビ情報、及びユーザに関するユーザ情報を収集するカーナビ情報収集ステップと、プローブ情報と、カーナビ情報及びユーザ情報とを記録する車載端末記憶ステップと、ユーザ情報、プローブ情報及びカーナビ情報を出力するタイミングを処理する車載端末処理ステップと、ユーザ情報を新たなユーザ情報として、プローブ情報及びカーナビ情報を元に環境情報として生成する情報解析ステップと、新たなユーザ情報及び環境情報を記録する情報記憶ステップと、新たなユーザ情報及び環境情報に基づき、ユーザにコンテンツを提供する提供タイミングの指示及びユーザに提供すべきコンテンツの検索のための条件の出力を行う情報処理ステップと、コンテンツの検索のための条件に従って、店舗や施設に関する最適なコンテンツを検索するコンテンツ推薦ステップと、を有し、コンテンツ推薦ステップにおいて、情報処理ステップの提供タイミングの指示に従い、検索されたコンテンツを車載端末装置へ送信することを特徴とする。
【００４５】
請求項４１記載の発明は、請求項４０記載の発明において、車載端末処理ステップは、リアルタイム、定期的な時間、記録したプローブ情報とカーナビ情報とがある一定の容量を満たした時、ユーザにより端末操作が行われた時、のいずれかの場合に車載端末記憶手段に記録された、ユーザ情報、プローブ情報及びカーナビ情報を出力するタイミングを処理することを特徴とする。
【００４６】
請求項４２記載の発明は、請求項４０記載の発明において、情報処理ステップは、ユーザ情報及び環境情報からトリガーを感知し、ユーザ情報及び環境情報の内容に基づき、ユーザの状態、車両の状況及び車両の周囲の状況が、どのような状態にあるかを判断し、ユーザにコンテンツを提供する提供タイミングを判断し、かつ、ユーザの状態、車両の状況及び車両の周囲の状況の先を予測することにより、提供タイミングの指示及びユーザに提供すべきコンテンツの検索のための条件の出力を行うことを特徴とする。
【００４７】
請求項４３記載の発明は、請求項４０から４２のいずれか１項に記載の発明において、コンテンツ提供後、ユーザが閲覧した閲覧情報を収集する閲覧情報収集ステップをさらに有することを特徴とする。
【００４８】
請求項４４記載の発明は、請求項４０から４３のいずれか１項に記載の発明において、ユーザによって次の行動を示す目的情報が設定された場合、目的情報に基づき、情報記憶ステップにおいて、ユーザの行動パターンを示す過去の履歴情報を抽出し、推定処理を行うことを特徴とする。
【００４９】
請求項４５記載の発明は、請求項３９から４４のいずれか１項に記載の発明において、情報記憶ステップは、ユーザ情報を格納するユーザ情報ステップと、環境情報を格納する環境情報ステップと、を有することを特徴とする。
【００５０】
請求項４６記載の発明は、請求項３９から４５のいずれか１項に記載の発明において、ユーザの年齢、性別、職業、趣味・嗜好等を示すユーザプロファイル情報と、Webの閲覧情報、提供したコンテンツの閲覧情報、訪問した場所情報等を示す履歴情報と、当日の予定、先の予定等のスケジュール情報と、を含み、ユーザが事前に車載端末装置から登録した情報、及びユーザの車載端末装置の利用過程において車載端末が自動的に記録した情報であることを特徴とする。
【００５１】
請求項４７記載の発明は、請求項３９から４５のいずれか１項に記載の発明において、環境情報は、時間、車両の位置、車速、ワイパ、燃料量、ブレーキ等、ユーザの車両の状況について示すプローブ情報と、走行履歴、目的地までの経路及び距離、現在地周辺、目的地周辺、交通渋滞等のカーナビに元から登録されている情報、及びカーナビの機能によって収集できる走行距離、走行経路、走行場所等、車両の周囲の状況について示すカーナビ情報と、を含み、ユーザの利用過程において車載端末が自動的に記録した情報であることを特徴とする。
【００５２】
請求項４８記載の発明は、車載端末装置とセンタサーバとがネットワークを介して接続され、車両内でユーザに対し最適なコンテンツを提供するコンテンツ推薦方法であって、車載端末装置において、車両のセンサから車両に関するプローブ情報をリアルタイムに収集する車両情報収集ステップと、走行経路を探索し、走行履歴及びユーザによるカーナビ操作の履歴を履歴情報として記録し、履歴情報と、交通渋滞、現在地周辺、目的地周辺の道路情報と、を含むカーナビ情報を収集するカーナビ情報収集ステップと、プローブ情報と、カーナビ情報とを記録する車載端末記憶ステップと、プローブ情報及びカーナビ情報に基づきユーザに提供すべきコンテンツの検索を指示する検索指示情報を送信する車載端末処理ステップと、検索指示情報を、ネットワークを介してセンタサーバへ送信する車載端末通信ステップと、
センタサーバにおいて、ネットワークを介して検索指示情報を受信するセンタ通信ステップと、検索指示情報に従って、店舗や施設に関する最適なコンテンツを検索し、検索コンテンツを送信するコンテンツ推薦ステップと、を有し、検索コンテンツを車載端末へ送信することを特徴とする。
【００５３】
請求項４９記載の発明は、請求項４８記載の発明において、車載端末処理ステップは、リアルタイム、定期的な時間、記録したプローブ情報とカーナビ情報とがある一定の容量を満たした時、ユーザにより端末操作が行われた時、のいずれかの場合に車載端末記憶手段に記録された、ユーザ情報、プローブ情報及びカーナビ情報を出力するタイミングを処理することを特徴とする。
【００５４】
請求項５０記載の発明は、請求項４８又は４９記載の発明において、コンテンツ提供後、ユーザが閲覧した閲覧情報を収集する閲覧情報収集ステップをさらに有することを特徴とする。
【００５５】
請求項５１記載の発明において、車載端末装置とセンタサーバとがネットワークを介して接続され、車両内でユーザに対し最適なコンテンツを提供するコンテンツ推薦方法であって、車載端末装置において、車両のセンサから車両に関するプローブ情報をリアルタイムに収集する車両情報収集ステップと、走行経路を探索し、走行履歴及びユーザによるカーナビ操作の履歴を履歴情報として記録し、履歴情報と、交通渋滞、現在地周辺、目的地周辺の道路情報と、を含むカーナビ情報を収集するカーナビ情報収集ステップと、プローブ情報と、カーナビ情報とを記録する車載端末記憶ステップと、プローブ情報及びカーナビ情報をセンタサーバへ出力するタイミングを処理する車載端末処理ステップと、プローブ情報及びカーナビ情報を、タイミングに応じて、ネットワークを介してセンタサーバへ送信する車載端末通信ステップと、センタサーバにおいて、ネットワークを介してプローブ情報及びカーナビ情報を受信するセンタ通信ステップと、プローブ情報及びカーナビ情報に基づき、ユーザの車両の状況及び車両の周囲の状況、ユーザに提供すべきコンテンツの検索の条件、提供コンテンツを提供するタイミングをそれぞれ判断し、かつユーザの車両の状況及び車両の周囲の状況の先を予測することにより、ユーザへコンテンツを提供する提供タイミングの指示、及びユーザに提供すべきコンテンツ検索のための検索条件を送信する情報処理ステップと、検索条件に基づいて、店舗や施設に関する最適なコンテンツを検索し、提供タイミングの指示に従って検索コンテンツを送信するコンテンツ推薦ステップと、を有し、検索コンテンツを車載端末装置へ送信することを特徴とする。
【００５６】
請求項５２記載の発明は、請求項５１記載の発明において、車載端末処理ステップは、リアルタイム、定期的な時間、記録したプローブ情報とカーナビ情報とがある一定の容量を満たした時、ユーザにより端末操作が行われた時、のいずれかの場合に車載端末記憶手段に記録された、ユーザ情報、プローブ情報及びカーナビ情報を出力するタイミングを処理することを特徴とする。
【００５７】
請求項５３記載の発明は、請求項５１又は５２記載の発明において、コンテンツ提供後、ユーザが閲覧した閲覧情報を収集する閲覧情報収集ステップをさらに有することを特徴とする。
【００５８】
請求項５４記載の発明は、請求項５１から５３のいずれか１項に記載の発明において、プッシュ配信又はプル配信のいずれか一方によってコンテンツを提供することを特徴とする。
【００５９】
請求項５５記載の発明は、車載端末装置とセンタサーバとがネットワークを介して接続され、車両内でユーザに対し最適なコンテンツを提供するコンテンツ推薦方法であって、車載端末装置において、車両のセンサと接続され、車両のセンサから車両に関するプローブ情報をリアルタイムに収集する車両情報収集ステップと、走行経路を探索し、走行履歴及びユーザによるカーナビ操作の履歴を履歴情報として記録し、履歴情報と、交通渋滞、現在地周辺、目的地周辺の道路情報と、を含むカーナビ情報、及びユーザに関するユーザ情報を収集するカーナビ情報収集ステップと、プローブ情報と、カーナビ情報及びユーザ情報とを記録する車載端末記憶ステップと、ユーザ情報、プローブ情報及びカーナビ情報をセンタサーバへ出力するタイミングを処理する車載端末処理ステップと、ユーザ情報、プローブ情報及びカーナビ情報を、タイミングに応じて、ネットワークを介してセンタサーバへ送信する車載端末通信ステップと、センタサーバにおいて、ネットワークを介してユーザ情報、プローブ情報及びカーナビ情報を受信するセンタ通信ステップと、ユーザ情報と、プローブ情報及びカーナビ情報を併せた環境情報とを記録する情報記憶ステップと、ユーザ情報及び環境情報に基づき、ユーザの車両の状況及び車両の周囲の状況、ユーザに提供すべきコンテンツの検索の条件、提供コンテンツを提供するタイミングをそれぞれ判断し、かつユーザの車両の状況及び車両の周囲の状況の先を予測することにより、ユーザへコンテンツを提供する提供タイミングの指示、及びユーザに提供すべきコンテンツ検索のための検索条件を送信する情報処理ステップと、検索条件に基づいて、店舗や施設に関する最適なコンテンツを検索し、提供タイミングの指示に従って検索コンテンツを送信するコンテンツ推薦ステップと、を有し、検索コンテンツを車載端末装置へ送信することを特徴とする。
【００６０】
請求項５６記載の発明は、請求項５５記載の発明において、情報処理ステップは、ユーザ情報、プローブ情報及びカーナビ情報からトリガーを感知し、各情報の内容に基づき状況推定及びユーザに提供すべきコンテンツ検索のための条件を判断する処理を行うことを特徴とする。
【００６１】
請求項５７記載の発明は、請求項５５記載の発明において、車載端末処理ステップは、リアルタイム、定期的な時間、記録したプローブ情報とカーナビ情報とがある一定の容量を満たした時、ユーザにより端末操作が行われた時、のいずれかの場合に車載端末記憶手段に記録された、ユーザ情報、プローブ情報及びカーナビ情報を出力するタイミングを処理することを特徴とする。
【００６２】
請求項５８記載の発明は、請求項５５から５７のいずれか１項に記載の発明において、コンテンツ提供後、ユーザが閲覧した閲覧情報を収集する閲覧情報収集ステップをさらに有することを特徴とする。
【００６３】
請求項５９記載の発明は、請求項５５から５８のいずれか１項に記載の発明において、プッシュ配信又はプル配信のいずれか一方によってコンテンツを提供することを特徴とする。
【００６４】
請求項６０記載の発明は、車載端末装置とセンタサーバとがネットワークを介して接続され、車両内でユーザに対し最適なコンテンツを提供するコンテンツ推薦方法であって、車載端末装置において、車両のセンサと接続され、車両のセンサから車両に関するプローブ情報をリアルタイムに収集する車両情報収集ステップと、走行経路を探索し、走行履歴及びユーザによるカーナビ操作の履歴を履歴情報として記録し、履歴情報と、交通渋滞、現在地周辺、目的地周辺の道路情報と、を含むカーナビ情報、及びユーザに関するユーザ情報を収集するカーナビ情報収集ステップと、プローブ情報と、カーナビ情報及びユーザ情報とを記録する車載端末記憶ステップと、ユーザ情報、プローブ情報及びカーナビ情報をセンタサーバへ出力するタイミングを処理する車載端末処理ステップと、ユーザ情報、プローブ情報及びカーナビ情報を、タイミングに応じて、ネットワークを介してセンタサーバへ送信する車載端末通信ステップと、センタサーバにおいて、ネットワークを介してユーザ情報、プローブ情報及びカーナビ情報を受信するセンタ通信ステップと、ユーザ情報を新たなユーザ情報として、また、プローブ情報及びカーナビ情報を併せて環境情報として、それぞれ所定の形式で生成する情報解析ステップと、新たなユーザ情報及び環境情報を記録する情報記憶ステップと、ユーザ情報及び環境情報に基づき、ユーザの車両の状況及び車両の周囲の状況、ユーザに提供すべきコンテンツの検索の条件、提供コンテンツを提供するタイミングをそれぞれ判断し、かつユーザの車両の状況及び車両の周囲の状況の先を予測することにより、ユーザへコンテンツを提供する提供タイミングの指示、及びユーザに提供すべきコンテンツ検索のための検索条件を送信する情報処理ステップと、検索条件に基づいて、店舗や施設に関する最適なコンテンツを検索し、提供タイミングの指示に従って検索コンテンツを送信するコンテンツ推薦ステップと、を有し、検索コンテンツを車載端末装置へ送信することを特徴とする。
【００６５】
請求項６１記載の発明は、請求項６０記載の発明において、情報処理ステップは、ユーザ情報、プローブ情報及びカーナビ情報からトリガーを感知し、各情報の内容に基づき状況推定及びユーザに提供すべきコンテンツ検索のための条件を判断する処理を行うことを特徴とする。
【００６６】
請求項６２記載の発明は、請求項６０記載の発明において、車載端末処理ステップは、リアルタイム、定期的な時間、記録したプローブ情報とカーナビ情報とがある一定の容量を満たした時、ユーザにより端末操作が行われた時、のいずれかの場合に車載端末記憶手段に記録された、ユーザ情報、プローブ情報及びカーナビ情報を出力するタイミングを処理することを特徴とする。
【００６７】
請求項６３記載の発明は、請求項６０から６２のいずれか１項に記載の発明において、コンテンツ提供後、ユーザが閲覧した閲覧情報を収集する閲覧情報収集ステップをさらに有することを特徴とする。
【００６８】
請求項６４記載の発明は、請求項６０から６３のいずれか１項に記載の発明において、プッシュ配信又はプル配信のいずれか一方によってコンテンツを提供することを特徴とする。
【００６９】
請求項６５記載の発明は、請求項５５から６４のいずれか１項に記載の発明において、情報記憶ステップは、ネットワークを介して接続される情報処理装置からユーザ情報を受信し、予め保持するユーザ情報の更新及び追加を行うことを特徴とする。
【００７０】
請求項６６記載の発明は、請求項４９から６５のいずれか１項に記載の発明において、ユーザによって次の行動を示す目的情報が設定された場合、目的情報に基づき、情報記憶ステップにおいて、ユーザの行動パターンを示す過去の履歴情報を抽出し、推定処理を行うことを特徴とする。
【００７１】
請求項６７記載の発明は、請求項５５，６０，６５のいずれか１項に記載の発明において、情報記憶ステップは、ユーザ情報を格納するユーザ情報ステップと、環境情報を格納する環境情報ステップと、を有することを特徴とする。
【００７２】
請求項６８記載の発明は、請求項４９から６７のいずれか１項に記載の発明において、ユーザ情報は、ユーザの年齢、性別、職業、趣味・嗜好等を示すユーザプロファイル情報と、Webの閲覧情報、提供したコンテンツの閲覧情報、訪問した場所情報等を示す履歴情報と、当日の予定、先の予定等のスケジュール情報と、を含み、ユーザが事前に車載端末装置から登録した情報、及びユーザの車載端末装置の利用過程において車載端末が自動的に記録した情報であることを特徴とする。
【００７３】
請求項６９記載の発明は、請求項４９から６７のいずれか１項に記載の発明において、環境情報は、時間、車両の位置、車速、ワイパ、燃料量、ブレーキ等、ユーザの車両の状況について示すプローブ情報と、走行履歴、目的地までの経路及び距離、現在地周辺、目的地周辺、交通渋滞等のカーナビに元から登録されている情報、及びカーナビの機能によって収集できる走行距離、走行経路、走行場所等、車両の周囲の状況について示すカーナビ情報と、を含み、ユーザの利用過程において車載端末が自動的に記録した情報であることを特徴とする。
【００７４】
請求項７０記載の発明は、車両内でユーザに対し最適なコンテンツを提供するようにコンピュータに実行させるためのコンテンツ推薦プログラムであって、ユーザに関するユーザ情報と、ユーザの車両に関する環境情報とを収集する情報収集処理と、収集したユーザ情報及び環境情報を記録する情報記憶処理と、情報記憶処理において記録された各情報に基づき、ユーザへ提供するコンテンツを検索するための条件を抽出する条件抽出処理と、抽出条件に基づきコンテンツ記憶処理からコンテンツを検索するコンテンツ検索処理と、をコンピュータに実行させる。
【００７５】
請求項７１記載の発明は、車両内でユーザに対し最適なコンテンツを提供するようにコンピュータに実行させるためのコンテンツ推薦プログラムであって、車両のセンサから車両に関するプローブ情報をリアルタイムに収集する車両情報収集処理と、走行経路を探索し、走行履歴及びユーザによるカーナビ操作の履歴を履歴情報として記録し、履歴情報と、交通渋滞、現在地周辺、目的地周辺の道路情報と、を含むカーナビ情報、及びユーザに関するユーザ情報を収集するカーナビ情報収集処理と、プローブ情報と、カーナビ情報及びユーザ情報とを記録する車載端末記憶処理と、ユーザ情報、プローブ情報及びカーナビ情報を出力するタイミングを処理する車載端末処理処理と、ユーザ情報を新たなユーザ情報として、プローブ情報及びカーナビ情報を元に環境情報として生成する情報解析処理と、新たなユーザ情報及び環境情報を記録する情報記憶処理と、新たなユーザ情報及び環境情報に基づき、ユーザにコンテンツを提供する提供タイミングの指示及びユーザに提供すべきコンテンツの検索のための条件の出力を行う情報処理処理と、コンテンツの検索のための条件に従って、店舗や施設に関する最適なコンテンツを検索するコンテンツ推薦処理と、コンテンツ推薦処理において、情報処理処理の提供タイミングの指示に従い、検索されたコンテンツを車載端末装置へ送信するコンテンツ送信処理と、をコンピュータに実行させる。
【００７６】
請求項７２記載の発明は、請求項７１記載の発明において、車載端末処理処理は、リアルタイム、定期的な時間、記録したプローブ情報とカーナビ情報とがある一定の容量を満たした時、ユーザにより端末操作が行われた時、のいずれかの場合に車載端末記憶手段に記録された、ユーザ情報、プローブ情報及びカーナビ情報を出力するタイミングを処理することを特徴とする。
【００７７】
請求項７３記載の発明は、請求項７１記載の発明において、情報処理処理は、ユーザ情報及び環境情報からトリガーを感知し、ユーザ情報及び環境情報の内容に基づき、ユーザの状態、車両の状況及び車両の周囲の状況が、どのような状態にあるかを判断し、ユーザにコンテンツを提供する提供タイミングを判断し、かつ、ユーザの状態、車両の状況及び車両の周囲の状況の先を予測することにより、提供タイミングの指示及びユーザに提供すべきコンテンツの検索のための条件の出力をコンピュータに実行させる。
【００７８】
請求項７４記載の発明は、請求項７１から７３のいずれか１項に記載の発明において、コンテンツ提供後、ユーザが閲覧した閲覧情報を収集する閲覧情報収集処理をさらにコンピュータに実行させる。
【００７９】
請求項７５記載の発明は、請求項７１から７４のいずれか１項に記載の発明において、ユーザによって次の行動を示す目的情報が設定された場合、目的情報に基づき、情報記憶処理において、ユーザの行動パターンを示す過去の履歴情報を抽出し、推定処理をコンピュータに実行させる。
【００８０】
請求項７６記載の発明は、請求項７０から７５のいずれか１項に記載の発明において、情報記憶処理は、ユーザ情報を格納するユーザ情報処理と、環境情報を格納する環境情報処理と、をコンピュータに実行させる。
【００８１】
請求項７７記載の発明は、請求項７０から７６のいずれか１項に記載の発明において、ユーザ情報は、ユーザの年齢、性別、職業、趣味・嗜好等を示すユーザプロファイル情報と、Webの閲覧情報、提供したコンテンツの閲覧情報、訪問した場所情報等を示す履歴情報と、当日の予定、先の予定等のスケジュール情報と、を含み、ユーザが事前に車載端末装置から登録した情報、及びユーザの車載端末装置の利用過程において車載端末が自動的に記録した情報であることを特徴とする。
【００８２】
請求項７８記載の発明は、請求項７０から７６のいずれか１項に記載の発明において、環境情報は、時間、車両の位置、車速、ワイパ、燃料量、ブレーキ等、ユーザの車両の状況について示すプローブ情報と、走行履歴、目的地までの経路及び距離、現在地周辺、目的地周辺、交通渋滞等のカーナビに元から登録されている情報、及びカーナビの機能によって収集できる走行距離、走行経路、走行場所等、車両の周囲の状況について示すカーナビ情報と、を含み、ユーザの利用過程において車載端末が自動的に記録した情報であることを特徴とする。
【００８３】
請求項７９記載の発明は、車載端末装置とセンタサーバとがネットワークを介して接続され、車両内でユーザに対し最適なコンテンツを提供するようにコンピュータに実行させるためのコンテンツ推薦プログラムであって、車載端末装置において、車両のセンサから車両に関するプローブ情報をリアルタイムに収集する車両情報収集処理と、走行経路を探索し、走行履歴及びユーザによるカーナビ操作の履歴を履歴情報として記録し、履歴情報と、交通渋滞、現在地周辺、目的地周辺の道路情報と、を含むカーナビ情報を収集するカーナビ情報収集処理と、プローブ情報と、カーナビ情報とを記録する車載端末記憶処理と、プローブ情報及びカーナビ情報に基づきユーザに提供すべきコンテンツの検索を指示する検索指示情報を送信する車載端末処理処理と、検索指示情報を、ネットワークを介してセンタサーバへ送信する車載端末通信処理と、センタサーバにおいて、ネットワークを介して検索指示情報を受信するセンタ通信処理と、検索指示情報に従って、店舗や施設に関する最適なコンテンツを検索し、検索コンテンツを車載端末装置へ送信するコンテンツ推薦処理と、をコンピュータに実行させる。
【００８４】
請求項８０記載の発明は、請求項７９記載の発明において、車載端末処理処理は、リアルタイム、定期的な時間、記録したプローブ情報とカーナビ情報とがある一定の容量を満たした時、ユーザにより端末操作が行われた時、のいずれかの場合に車載端末記憶手段に記録された、ユーザ情報、プローブ情報及びカーナビ情報を出力するタイミングを処理することをコンピュータに実行させる。
【００８５】
請求項８１記載の発明は、請求項７９から８０のいずれか１項に記載の発明において、コンテンツ提供後、ユーザが閲覧した閲覧情報を収集する閲覧情報収集処理をさらにコンピュータに実行させる。
【００８６】
請求項８２記載の発明は、車載端末装置とセンタサーバとがネットワークを介して接続され、車両内でユーザに対し最適なコンテンツを提供するようにコンピュータに実行させるためのコンテンツ推薦プログラムであって、車載端末装置において、車両のセンサから車両に関するプローブ情報をリアルタイムに収集する車両情報収集処理と、走行経路を探索し、走行履歴及びユーザによるカーナビ操作の履歴を履歴情報として記録し、履歴情報と、交通渋滞、現在地周辺、目的地周辺の道路情報と、を含むカーナビ情報を収集するカーナビ情報収集処理と、プローブ情報と、カーナビ情報とを記録する車載端末記憶処理と、プローブ情報及びカーナビ情報をセンタサーバへ出力するタイミングを処理する車載端末処理処理と、プローブ情報及びカーナビ情報を、タイミングに応じて、ネットワークを介してセンタサーバへ送信する車載端末通信処理と、センタサーバにおいて、ネットワークを介してプローブ情報及びカーナビ情報を受信するセンタ通信処理と、プローブ情報及びカーナビ情報に基づき、ユーザの車両の状況及び車両の周囲の状況、ユーザに提供すべきコンテンツの検索の条件、提供コンテンツを提供するタイミングをそれぞれ判断し、かつユーザの車両の状況及び車両の周囲の状況の先を予測することにより、ユーザへコンテンツを提供する提供タイミングの指示、及びユーザに提供すべきコンテンツ検索のための検索条件を送信する情報処理処理と、検索条件に基づいて、店舗や施設に関する最適なコンテンツを検索し、提供タイミングの指示に従って検索コンテンツを車載端末装置へ送信するコンテンツ推薦処理と、をコンピュータに実行させる。
【００８７】
請求項８３記載の発明は、請求項８２記載の発明において、車載端末処理処理は、リアルタイム、定期的な時間、記録したプローブ情報とカーナビ情報とがある一定の容量を満たした時、ユーザにより端末操作が行われた時、のいずれかの場合に車載端末記憶手段に記録された、ユーザ情報、プローブ情報及びカーナビ情報を出力するタイミングを処理することをコンピュータに実行させる。
【００８８】
請求項８４記載の発明は、請求項８２又は８３記載の発明において、コンテンツ提供後、ユーザが閲覧した閲覧情報を収集する閲覧情報収集処理をさらにコンピュータに実行させる。
【００８９】
請求項８５記載の発明は、請求項８２から８４のいずれか１項に記載の発明において、プッシュ配信又はプル配信のいずれか一方によってコンテンツを提供することをコンピュータに実行させる。
【００９０】
請求項８６記載の発明は、車載端末装置とセンタサーバとがネットワークを介して接続され、車両内でユーザに対し最適なコンテンツを提供するコンテンツ推薦プログラムであって、車載端末装置において、車両のセンサと接続され、車両のセンサから車両に関するプローブ情報をリアルタイムに収集する車両情報収集処理と、走行経路を探索し、走行履歴及びユーザによるカーナビ操作の履歴を履歴情報として記録し、履歴情報と、交通渋滞、現在地周辺、目的地周辺の道路情報と、を含むカーナビ情報、及びユーザに関するユーザ情報を収集するカーナビ情報収集処理と、プローブ情報と、カーナビ情報及びユーザ情報とを記録する車載端末記憶処理と、ユーザ情報、プローブ情報及びカーナビ情報をセンタサーバへ出力するタイミングを処理する車載端末処理処理と、ユーザ情報、プローブ情報及びカーナビ情報を、タイミングに応じて、ネットワークを介してセンタサーバへ送信する車載端末通信処理と、センタサーバにおいて、ネットワークを介してユーザ情報、プローブ情報及びカーナビ情報を受信するセンタ通信処理と、ユーザ情報と、プローブ情報及びカーナビ情報を併せた環境情報とを記録する情報記憶処理と、ユーザ情報及び環境情報に基づき、ユーザの車両の状況及び車両の周囲の状況、ユーザに提供すべきコンテンツの検索の条件、提供コンテンツを提供するタイミングをそれぞれ判断し、かつユーザの車両の状況及び車両の周囲の状況の先を予測することにより、ユーザへコンテンツを提供する提供タイミングの指示、及びユーザに提供すべきコンテンツ検索のための検索条件を送信する情報処理処理と、検索条件に基づいて、店舗や施設に関する最適なコンテンツを検索し、提供タイミングの指示に従って検索コンテンツを車載端末装置へ送信するコンテンツ推薦処理と、をコンピュータに実行させる。
【００９１】
請求項８７記載の発明は、請求項８６記載の発明において、情報処理処理は、ユーザ情報、プローブ情報及びカーナビ情報からトリガーを感知し、各情報の内容に基づき状況推定及びユーザに提供すべきコンテンツ検索のための条件を判断する処理をコンピュータに実行させる。
【００９２】
請求項８８記載の発明は、請求項８６記載の発明において、車載端末処理処理は、リアルタイム、定期的な時間、記録したプローブ情報とカーナビ情報とがある一定の容量を満たした時、ユーザにより端末操作が行われた時、のいずれかの場合に車載端末記憶手段に記録された、ユーザ情報、プローブ情報及びカーナビ情報を出力するタイミングを処理することをコンピュータに実行させる。
【００９３】
請求項８９記載の発明は、請求項８６から８８のいずれか１項に記載の発明において、コンテンツ提供後、ユーザが閲覧した閲覧情報を収集する閲覧情報収集処理をさらにコンピュータに実行させる。
【００９４】
請求項９０記載の発明は、請求項８６から８９のいずれか１項に記載の発明において、プッシュ配信又はプル配信のいずれか一方によってコンテンツを提供することをコンピュータに実行させる。
【００９５】
請求項９１記載の発明は、車載端末装置とセンタサーバとがネットワークを介して接続され、車両内でユーザに対し最適なコンテンツを提供するようにコンピュータに実行させるためのコンテンツ推薦プログラムであって、車載端末装置において、車両のセンサと接続され、車両のセンサから車両に関するプローブ情報をリアルタイムに収集する車両情報収集処理と、走行経路を探索し、走行履歴及びユーザによるカーナビ操作の履歴を履歴情報として記録し、履歴情報と、交通渋滞、現在地周辺、目的地周辺の道路情報と、を含むカーナビ情報、及びユーザに関するユーザ情報を収集するカーナビ情報収集処理と、プローブ情報と、カーナビ情報及びユーザ情報とを記録する車載端末記憶処理と、ユーザ情報、プローブ情報及びカーナビ情報をセンタサーバへ出力するタイミングを処理する車載端末処理処理と、ユーザ情報、プローブ情報及びカーナビ情報を、タイミングに応じて、ネットワークを介してセンタサーバへ送信する車載端末通信処理と、センタサーバにおいて、ネットワークを介してユーザ情報、プローブ情報及びカーナビ情報を受信するセンタ通信処理と、ユーザ情報を新たなユーザ情報として、また、プローブ情報及びカーナビ情報を併せて環境情報として、それぞれ所定の形式で生成する情報解析処理と、新たなユーザ情報及び環境情報を記録する情報記憶処理と、ユーザ情報及び環境情報に基づき、ユーザの車両の状況及び車両の周囲の状況、ユーザに提供すべきコンテンツの検索の条件、提供コンテンツを提供するタイミングをそれぞれ判断し、かつユーザの車両の状況及び車両の周囲の状況の先を予測することにより、ユーザへコンテンツを提供する提供タイミングの指示、及びユーザに提供すべきコンテンツ検索のための検索条件を送信する情報処理処理と、検索条件に基づいて、店舗や施設に関する最適なコンテンツを検索し、提供タイミングの指示に従って検索コンテンツを車載端末装置へ送信するコンテンツ推薦処理と、をコンピュータに実行させる。
【００９６】
請求項９２記載の発明は、請求項９１記載の発明において、情報処理処理は、ユーザ情報、プローブ情報及びカーナビ情報からトリガーを感知し、各情報の内容に基づき状況推定及びユーザに提供すべきコンテンツ検索のための条件を判断する処理をコンピュータに実行させる。
【００９７】
請求項９３記載の発明は、請求項９１記載の発明において、車載端末処理処理は、リアルタイム、定期的な時間、記録したプローブ情報とカーナビ情報とがある一定の容量を満たした時、ユーザにより端末操作が行われた時、のいずれかの場合に車載端末記憶手段に記録された、ユーザ情報、プローブ情報及びカーナビ情報を出力するタイミングを処理することをコンピュータに実行させる。
【００９８】
請求項９４記載の発明は、請求項９１から９３のいずれか１項に記載の発明において、ンテンツ提供後、ユーザが閲覧した閲覧情報を収集する閲覧情報収集処理をさらにコンピュータに実行させる。
【００９９】
請求項９５記載の発明は、請求項９１から９３のいずれか１項に記載の発明において、プッシュ配信又はプル配信のいずれか一方によってコンテンツを提供することをコンピュータに実行させる。
【０１００】
請求項９６記載の発明は、請求項８６から９５のいずれか１項に記載の発明において、情報記憶処理は、ネットワークを介して接続される情報処理装置からユーザ情報を受信し、予め保持するユーザ情報の更新及び追加をコンピュータに実行させる。
【０１０１】
請求項９７記載の発明は、請求項８０から９６のいずれか１項に記載の発明において、ユーザによって次の行動を示す目的情報が設定された場合、目的情報に基づき、情報記憶処理において、ユーザの行動パターンを示す過去の履歴情報を抽出し、推定処理をコンピュータに実行させる。
【０１０２】
請求項９８記載の発明は、請求項８６，９１，９６のいずれか１項に記載の発明において、情報記憶処理は、ユーザ情報を格納するユーザ情報処理と、環境情報を格納する環境情報処理と、をさらにコンピュータに実行させる。
【０１０３】
請求項９９記載の発明は、請求項８０から９８のいずれか１項に記載の発明において、ユーザ情報は、ユーザの年齢、性別、職業、趣味・嗜好等を示すユーザプロファイル情報と、Webの閲覧情報、提供したコンテンツの閲覧情報、訪問した場所情報等を示す履歴情報と、当日の予定、先の予定等のスケジュール情報と、を含み、ユーザが事前に車載端末装置から登録した情報、及びユーザの車載端末装置の利用過程において車載端末が自動的に記録した情報であることを特徴とする。
【０１０４】
請求項１００記載の発明は、請求項８０から９８のいずれか１項に記載の発明において、環境情報は、時間、車両の位置、車速、ワイパ、燃料量、ブレーキ等、ユーザの車両の状況について示すプローブ情報と、走行履歴、目的地までの経路及び距離、現在地周辺、目的地周辺、交通渋滞等のカーナビに元から登録されている情報、及びカーナビの機能によって収集できる走行距離、走行経路、走行場所等、車両の周囲の状況について示すカーナビ情報と、を含み、ユーザの利用過程において車載端末が自動的に記録した情報であることを特徴とする。
【０１０５】
請求項１０１記載の発明は、請求項８２から９８のいずれか１項に記載の発明において、前記情報記憶処理、前記情報解析処理、前記情報処理のうち少なくとも１つを、前記車載装置のコンピュータに実行させる。
【発明の効果】
【０１０６】
本発明によれば、第１の効果として、環境コンテキストと、ユーザコンテキストを利用することで、ユーザの状態及びユーザの車両の状況及び車の周囲の状況に応じ必要であると思われるコンテンツを検索し、タイミングよく、ユーザにコンテンツを提供することができる。
【０１０７】
本発明によれば、第２の効果として、環境コンテキストと、ユーザコンテキストを利用することで、カーナビで設定した目的情報からユーザの目的を推測し、POI情報を提供することができる。
【０１０８】
本発明によれば、第３の効果として、センタ側で、ユーザの車両の状況及び車両の周囲の状況を判断し処理することで、車載端末における処理を軽減することができる。
【発明を実施するための最良の形態】
【０１０９】
以下、本発明を実施するための最良の形態について添付図面を参照して詳細に説明する。
【０１１０】
（発明の特徴）
本発明は、車両に搭載された車載端末を介してドライバー及び同乗者（以下ユーザという）に対し、ユーザコンテキストと環境コンテキストを利用し、これら２つのコンテキストに基づき、ユーザの状態、ユーザの車両の状況及び車両の周囲の状況に応じた情報（以下コンテンツという）の検索、並びにコンテンツを提供するタイミングを処理し、ユーザにとって適切なコンテンツを提供するものである。
【０１１１】
ユーザコンテキスト（ユーザ情報）とは、年齢、性別、職業、趣味・嗜好等のユーザプロファイル情報、Web・提供したコンテンツの閲覧情報、訪問した場所情報等の履歴を含む履歴情報、当日の予定、将来の予定等のスケジュール情報を含み、ユーザが事前にカーナビ機能部から登録した情報や、車載端末側がユーザの車載端末利用過程において自動的に記録した情報であって、ユーザに関する情報のことである。なお、ユーザコンテキストは、以下に説明する実施例１〜８において使用されているものと同じである。
【０１１２】
また、環境コンテキスト（環境情報）とは、時間、車両の位置、車速、ワイパ、燃料量、ブレーキ等のユーザの車両の状況（以下プローブ情報という）並びに走行履歴、目的地までの経路、現在地周辺、目的地周辺、交通渋滞等のカーナビ機能部に元から登録されている情報及びカーナビ機能部によって収集できる車両の周囲の状況（以下カーナビ情報という）であり、車両に搭載された車載端末が収集した情報のことである。なお、この環境コンテキストは、以下に説明する実施例１〜８において使用されているものと同じである。
【実施例１】
【０１１３】
図１を参照すると、本実施例は、車両情報収集部１と、カーナビ機能部２と、車載端末処理（車載端末処理部）システム３と、車載端末記憶手段４と、コンテキスト解析システム（コンテキスト解析部）５と、コンテキスト処理システム（コンテキスト処理部）６と、コンテンツ推薦システム（コンテンツ推薦部）７と、コンテンツ記憶手段８と、ユーザコンテキスト記憶手段９と、環境コンテキスト記憶手段１０から構成され、車載端末として車両内に搭載されているものである。また、車両情報収集部１は車両のセンサ等と接続されている。これらの各機器やシステムを参照して説明する。
【０１１４】
車両情報収集部１は、車両に設置されるセンサ等により、時間、車両の位置、車速、ワイパ、燃料量、ブレーキ、ワイパ等のプローブ情報をリアルタイムに収集する機能を有し、収集したプローブ情報は、車載端末記憶手段４に記録される。
【０１１５】
カーナビ機能部２は、車載端末処理システム３から受信したコンテンツを車載端末のディスプレイに表示する機能と、走行経路を探索する経路探索機能、走行経路の履歴やユーザによるカーナビ操作等の履歴を記録する履歴記録機能、交通渋滞、現在地周辺、目的地周辺等の道路情報や、POI情報等の店舗／施設情報の表示機能など、現状普及しているカーナビと類似した機能を有し、収集したカーナビ情報は、車載端末記憶手段４に記録される。また、カーナビ機能部２は、ユーザによってユーザ情報を予め登録される機能もある。
【０１１６】
カーナビ機能部２によって得られる情報は、経路探索機能より、目的地までの経路、目的地までの距離、目的地までの交通渋滞等の情報と、履歴記録機能より、走行距離、走行経路、走行場所等の走行履歴情報と、車載端末に表示されたコンテンツの閲覧操作や、コンテンツ検索操作等のカーナビ操作履歴情報である。ここで、カーナビ機能部２より収集したコンテンツ閲覧操作の情報はユーザ情報の一部であり、それ以外の情報はカーナビ情報である。
【０１１７】
車載端末処理システム３は、車載端末記憶手段４に記録された、プローブ情報、カーナビ情報及びユーザ情報を、リアルタイム、定期的（分、時間単位等）、記録したプローブ情報とカーナビ情報がある一定の容量を満たした時、ユーザにより端末操作が行われた時等において、各情報を送信するタイミングを処理する機能と、プローブ情報、カーナビ情報及びユーザ情報を、コンテキスト解析システム５及びコンテキスト処理システム６へ送信する機能と、コンテンツ推薦システム７からコンテンツを受信する機能を有する。
【０１１８】
車載端末記憶手段４は、プローブ情報及びカーナビ情報、予めカーナビに登録されている情報等が記録されているものである。
【０１１９】
コンテキスト解析システム５は、車載端末処理システム３からユーザ情報、プローブ情報及びカーナビ情報を入力し、入力した情報をユーザコンテキスト及び環境コンテキストに加工する機能と、ユーザコンテキストをユーザコンテキスト記憶手段９へ、環境コンテキストを環境コンテキスト記憶手段１０へ記録する機能を有する。
【０１２０】
コンテキスト処理システム６は、ユーザコンテキスト記憶手段９及び環境コンテキスト記憶手段１０の情報に基づき、ユーザの状態、ユーザの車両の状況及び車両の周囲の状況がどのような状態にあるかを判断し、ユーザに対してコンテンツを提供するタイミングの判断機能と、ユーザの状態、ユーザの車両の状況及び車両の周囲の状況の先を予測する状況推定機能と、これら２つの機能より、ユーザへのコンテンツの提供のタイミングの指示及びユーザに提供すべきコンテンツの検索のための検索条件を、コンテンツ推薦システム７へ送信する機能を有する。
【０１２１】
コンテンツ推薦システム７は、コンテキスト処理システム６から入力されたコンテンツの検索のための検索条件に従い、コンテンツ記憶手段８等から、最適なコンテンツを検索する機能と、検索したコンテンツを車載端末処理システム３へ送信する機能を有する。この時、コンテキスト処理システム６からのユーザに提供するタイミングの指示に従い、検索したコンテンツを車載端末処理システム３へ送信するものとする。
【０１２２】
コンテンツ記憶手段８は、店舗や施設等のPOI情報が記録されているものである。
ユーザコンテキスト記憶手段９は、コンテキスト解析システム５で加工されたユーザ情報をユーザコンテキストとして記録する。ここでユーザコンテキストとは、年齢、性別、職業、趣味・嗜好等のユーザプロファイル情報、履歴情報、スケジュール情報等の情報や、システム利用時にユーザが事前に登録した情報のことである。
【０１２３】
環境コンテキスト記憶手段１０は、コンテンツ解析システム５で加工されたプローブ情報及びカーナビ情報を環境コンテキストとして記録する。
【０１２４】
図２を参照して本実施例の動作について詳細に説明する。
ここでは、プローブ情報の１つである燃料残量情報から、カーナビ情報の１つである走行経路情報及びユーザ情報を活用し、プッシュ方式によりガソリンスタンドの情報を提供する方法を例にとる。
【０１２５】
ユーザコンテキスト記憶手段９に記録されるユーザ情報と、環境コンテキスト記憶手段１０に記録される、プローブ情報及びカーナビ情報とは、車両情報収集部１とカーナビ機能部２で収集され、車載端末記憶手段４に記録され（ステップA１）、車載端末処理システム３が、コンテキスト解析システム５へ情報を送信し（ステップA２）、コンテキスト解析システム５が、ユーザ情報をユーザコンテキストへ加工し、ユーザコンテキスト記憶手段９に記録し、プローブ情報及びカーナビ情報を環境コンテキストへ加工し、環境コンテキスト記憶手段１０に記録する（ステップA３）。この記憶手段に記録された情報から、コンテキスト処理システム６がトリガーを感知し（ステップA４）、その内容に基づき状況推定（ステップA５）及びユーザに提供すべきコンテンツ検索のための条件を判断する処理を行う（ステップA６）。
【０１２６】
まず、コンテキスト処理システム６は、環境コンテキスト記憶手段１０より“燃料残量少”のプローブ情報を感知し（ステップA４）、カーナビ情報から目的地までの経路を抽出し、ユーザコンテキスト記憶手段９より、ユーザがよく利用するガソリンスタンドの情報を抽出する。ここで、コンテキスト処理システム６は、走行可能距離から燃料がなくなる前にガソリンスタンドでの給油を勧めた方がよいと推定する（ステップA５）。経路上においてこの場所まで（ガソリンがなくなるまで）のガソリンスタンドの検索指示及び検索したガソリンスタンドの情報を提供するタイミングの指示を、コンテンツ推薦システム７へ送信する（ステップA７）。
【０１２７】
ここでの、ガソリンスタンドの場所と、提供するタイミングの処理は、目的地までの距離と現在地からガソリンスタンドまでの距離と到着予定時刻、現在の燃料残量における走行可能距離を考慮して処理しているものとする。
【０１２８】
指示情報を受信したコンテンツ推薦システム７は、コンテキスト処理システム６からの指示に従い、ユーザがよく利用するガソリンスタンドの検索を行い（ステップA８）、コンテキスト処理システム６からの指示に基づいたタイミングで、車載端末処理システム３へ送信され（ステップA９）、カーナビ機能部２を介し車載端末のディスプレイに、ガソリンスタンドの情報が表示される（ステップA１０）。
【０１２９】
コンテンツ提供後は、ユーザが閲覧したガソリンスタンドの情報が、カーナビ機能部２によって収集、車載端末記憶手段４に記録される（ステップA１１）。車載端末処理システム３は、車載端末記憶手段４に記録された情報をコンテキスト解析システム５へ送信し（ステップA１２）、コンテキスト解析システム５は、閲覧情報を履歴情報として（ここでは、センタで処理し提供したガソリンスタンドのコンテンツを閲覧した履歴情報）ユーザコンテキスト記憶手段９に記録する（ステップA１３）。
【０１３０】
以上のように、本実施例１によれば、環境コンテキストと、ユーザコンテキストを利用することで、ユーザの状態及びユーザの車両の状況及び車の周囲の状況に応じ必要であると思われるコンテンツを検索し、タイミングよく、ユーザにコンテンツを提供することができる。
【実施例２】
【０１３１】
次に、本発明の実施例２について図面を参照して詳細に説明する。
本実施例においては、ユーザがカーナビで目的を設定した場合、目的情報からユーザコンテキスト記憶手段９に記録された、ユーザの行動パターン等の過去の履歴情報を、コンテキスト処理システム６が参照し、“次にユーザは何をしたいか”目的を推定する。
【０１３２】
従って、カーナビ情報及びユーザの過去の履歴情報から、ユーザが設定した目的から最適なコンテンツを検索する点と、車載端末処理システム３が車載端末記憶手段から検知した目的情報をコンテキスト処理システム６へ送信する点、その目的から次の目的を予測し、プル配信により情報を提供するという点で前述した実施例１と異なる。
【０１３３】
図３を参照して本実施例の動作について、カーナビからの目的設定によるユーザの目的を推測し、POI情報を提供する方法について詳細に説明する。
ここでは、スポーツがしたいというユーザの目的から、ユーザの行動を予測し、最適なコンテンツを検索し、プル配信によって情報を提供する方法を例にとる。
【０１３４】
ユーザ情報及びプローブ情報及びカーナビ情報が、ユーザコンテキスト記憶手段９と環境コンテキスト記憶手段１０に記録するまでの動作は、実施例１と同様である（ステップA１〜A５）。まず、ユーザがカーナビ機能部２で“スポーツがしたい”という目的を設定する（ステップB１）。設定された目的情報は、車載端末処理システム３を介しコンテキスト処理システム６へ送信される（ステップB２）。コンテキスト処理システム６は受信した目的情報から、ユーザコンテキスト記憶手段９より“スポーツの後は温泉”という履歴情報を抽出し、推定処理を行う（ステップB３）。ここで、コンテキスト処理システム６は、スポーツ施設の検索指示及びその周辺における温泉施設の検索指示をコンテンツ推薦システム７に送信する（ステップB４）。
【０１３５】
指示情報を受信したコンテンツ推薦システム７は、コンテキスト処理システム６からの指示に従い、スポーツ施設の検索と及びその周辺における温泉施設の検索を行い（ステップB５）、スポーツ施設の情報と温泉施設の情報を、車載端末処理システム３へ送信し（ステップB６）、カーナビ機能部２のディスプレイにスポーツ施設の情報及び温泉施設の情報を表示する（ステップB７）。コンテンツ提供後の履歴情報の記録は、第一の実施例と同様である（B８〜B１０）。
【０１３６】
以上のように、本実施例２によれば、環境コンテキストと、ユーザコンテキストを利用することで、カーナビで設定した目的情報からユーザの目的を推測し、POI情報を提供することができる。
【実施例３】
【０１３７】
次に、本発明の実施例３について図面を参照して詳細に説明する。
本実施例では、実施例１と比較すると、システム処理を車載端末と、センタが有するセンタサーバ装置（以下センタという）に分け、インターネットを介するクライアント・サーバ型の機能を備え、プローブ情報を活用し、ユーザの車両の状況に応じたコンテンツの検索をセンタで処理し、携帯電話などの広域通信及び無線LAN、DSRCなどの狭域通信を介して、車載端末へコンテンツを送信する点で異なる。
【０１３８】
図４を参照すると、車両情報収集部２０１と、カーナビ機能部２０２と、車載端末処理システム２０３と、車載端末記憶手段２０４と、コンテンツ推薦システム２０５と、コンテンツ記憶手段２０６と、車載端末通信部２０７と、センタ通信部２０８から構成されている。これらの各機器やシステムを参照して説明する。
【０１３９】
車載端末は、車両情報収集部２０１、カーナビ機能部２０２、車載端末処理システム２０３、車載端末記憶手段２０４、車載端末通信部２０７から構成され、車両内に搭載されており、車両情報収集部２０１は、車両のセンサ等と接続されている。
【０１４０】
またセンタは、コンテンツ推薦システム２０５、コンテンツ記憶手段２０６、センタ通信部２０８から構成されている。
【０１４１】
車両収集部２０１は、車両のセンサ等より、時間、車両の位置、車速、ワイパ、燃料残量、ブレーキ等のプローブ情報をリアルタイムに収集する機能を有し、収集した情報は、車載端末記憶手段２０４に記録する。
【０１４２】
カーナビ機能部２０２は、センタから受信したコンテンツを車載端末のディスプレイに表示する機能と、経路探索機能、走行経路やカーナビ操作等の履歴記録機能、交通渋滞、現在地周辺、目的地周辺、POI情報等の、道路情報や店舗情報の表示機能など、現状普及しているカーナビと類似した機能を有し、収集した情報は、車載端末記憶手段２０４に記録する。カーナビ機能部２０２によって得られ、活用できる情報は、経路探索機能より、目的地までの経路、目的地までの距離及び、履歴記録機能より、走行距離、走行経路、走行場所等の走行履歴情報などである。
【０１４３】
車載端末処理システム２０３は、車載端末記憶手段２０４に記録された、プローブ情報及びカーナビ情報を、リアルタイム、定期的（分、時間単位等）、記録したプローブ情報とカーナビ情報がある一定の容量を満たした時、ユーザにより端末操作が行われた時等、情報を送信するタイミングを処理する機能と、プローブ情報を基に検索すべきコンテンツを判断する機能と、コンテンツ推薦システム２０５からコンテンツを受信する機能を有する。
【０１４４】
車載端末記憶手段２０４は、プローブ情報及びカーナビ情報、予めカーナビに登録されている情報等が記録されているものである。
【０１４５】
コンテンツ推薦システム２０５は、コンテンツ記憶手段２０６等から、最適なコンテンツを検索する機能と、検索したコンテンツをセンタ通信部２０８へ送信する機能を有する。
【０１４６】
コンテンツ記憶手段２０６は、店舗や施設等のPOI情報が記録されているものである。
車載端末通信部２０７は、センタ通信部２０８と携帯電話などの広域通信及び無線LAN、DSRCなどの狭域通信を介して接続し、車載端末とセンタ間において情報を送受信する機能と、ユーザに提供すべきコンテンツの検索の条件判断をする機能を有する。また、車載端末記憶手段２０４に記録された情報を、センタに送信するタイミングは、前述の通り車載端末処理システム２０３が処理したタイミングに応じ送信する。
【０１４７】
センタ通信部２０８は、車載端末通信部２０７と携帯電話などの広域通信及び無線LAN、DSRCなどの狭域通信を介して接続し、車載端末とセンタ間において情報を送受信する機能を有する。また、車載端末通信部２０７から検索指示情報を受信する機能と、センタ内で検索したコンテンツを車載端末通信部２０７へ送信する機能を有する。
【０１４８】
図４を参照して本実施例の動作について詳細に説明する。
ここでは、プローブ情報の１つである燃料残量情報から、カーナビ情報の１つである走行経路情報を活用し、センタから車載端末に対してプッシュ方式によりガソリンスタンドの情報を提供する方法を例にとる。
【０１４９】
まず車載端末では、車載端末処理システム２０３が、車載端末記憶手段２０４より“燃料残量少”のプローブ情報を感知し、カーナビ情報から目的地までの経路情報を抽出し、経路上にあるガソリンスタンドの検索指示を車載端末通信部２０７を介し、ネットワークを通じてセンタ通信部２０８へ送信する。センタでは、指示情報を受信したコンテンツ推薦システム２０５が、車載端末処理システム２０３からの指示に従い、経路上にあるガソリンスタンドの検索を行い、センタ通信部２０８を介し、ネットワークを通じて車載端末通信部２０７へ送信し、カーナビ機能部２０２を介し車載端末のディスプレイに、ガソリンスタンドの情報が表示される。
【０１５０】
以上のように、本実施例３によれば、環境コンテキストを利用することで、ユーザの車両の状況及び車両周囲の状況に応じ必要であると思われるコンテンツを検索し、ユーザにコンテンツを提供することができる。
【実施例４】
【０１５１】
次に、本発明の実施例４について図面を参照して詳細に説明する。
本実施例では、実施例３と比較すると、コンテキスト処理システム３０９を備え、ユーザに提供すべきコンテンツの検索のための条件判断をセンタで処理する点、ユーザへコンテンツを提供するタイミングの判断処理を行う点、ユーザの車両の状況及び車両の周囲の状況の先を予測する状況推定処理を行う点で異なる。
【０１５２】
図５を参照すると、車両情報収集部３０１と、カーナビ機能部３０２と、車載端末処理システム３０３と、車載端末記憶手段３０４と、コンテンツ推薦システム３０５と、コンテンツ記憶手段３０６と、車載端末通信部３０７と、センタ通信部３０８と、コンテキスト処理システム３０９から構成されている。これらの各機器やシステムを参照して説明する。
【０１５３】
車載端末は、車両情報収集部３０１、カーナビ機能部３０２、車載端末処理システム３０３、車載端末記憶手段３０４、車載端末通信部３０７から構成され、車両内に搭載されており、車両情報収集部３０１は、車両のセンサ等と接続されている。
【０１５４】
またセンタは、コンテンツ推薦システム３０５、コンテンツ記憶手段３０６、センタ通信部３０８、コンテキスト処理システム３０９から構成されている。
【０１５５】
車両収集部３０１は、車両のセンサ等より、時間、車両の位置、車速、ワイパ、燃料残量、ブレーキ等のプローブ情報をリアルタイムに収集する機能を有し、収集した情報は、車載端末記憶手段３０４に記録する。
【０１５６】
カーナビ機能部３０２は、センタから受信したコンテンツを車載端末のディスプレイに表示する機能と、経路探索機能、走行経路やカーナビ操作等の履歴記録機能、交通渋滞、現在地周辺、目的地周辺、POI情報等の、道路情報や店舗情報の表示機能など、現状普及しているカーナビと類似した機能を有し、収集した情報は、車載端末記憶手段３０４に記録する。カーナビ機能部３０２によって得られ活用できる情報は、経路探索機能より、目的地までの経路、目的地までの距離、履歴記録機能より、走行距離、走行経路、走行場所等の走行履歴情報と、などである。
【０１５７】
車載端末処理システム３０３は、車載端末記憶手段３０４に記録された、プローブ情報及びカーナビ情報を、リアルタイム、定期的（分、時間単位等）、記録したプローブ情報とカーナビ情報がある一定の容量を満たした時、ユーザにより端末操作が行われた時等、情報を送信するタイミングを処理する機能と、コンテンツ推薦システム３０５からコンテンツを受信する機能を有する。
【０１５８】
車載端末記憶手段３０４は、プローブ情報及びカーナビ情報、予めカーナビに登録されている情報等が記録されているものである。
【０１５９】
コンテンツ推薦システム３０５は、コンテンツ記憶手段３０６等から、最適なコンテンツを検索する機能と、検索したコンテンツをセンタ通信部３０８へ送信する機能を有する。
【０１６０】
コンテンツ記憶手段３０６は、店舗や施設等のPOI情報が記録されているものである。
車載端末通信部３０７は、センタ通信部３０８と携帯電話などの広域通信及び無線LAN、DSRCなどの狭域通信を介して接続し、車載端末とセンタ間において情報を送受信する機能を有する。また、車載端末記憶手段３０４に記録された情報を、センタに送信するタイミングは、前述の通り車載端末処理システム３０３が処理したタイミングに応じ送信する。
【０１６１】
センタ通信部３０８は、車載端末通信部３０７と携帯電話などの広域通信及び無線LAN、DSRCなどの狭域通信を介して接続し、車載端末とセンタ間において情報を送受信する機能を有する。また、車載端末通信部３０７からローブ情報及びカーナビ情報を受信する機能と、センタ内で検索したコンテンツを車載端末通信部３０７へ送信する機能を有する。
【０１６２】
コンテキスト処理システム３０９は、車載端末処理システム３０３からのプローブ情報に基づき、ユーザの車両の状況及び車両の周囲の状況が、どのような状態にあるかを判断し、ユーザに提供すべきコンテンツの検索の条件判断をする機能と、コンテンツを提供するタイミングの判断機能と、ユーザの車両の状況及び車両の周囲の状況の先を予測する状況推定機能と、これら２つの機能より、ユーザへのコンテンツ提供のタイミングの指示及びユーザに提供すべきコンテンツ検索のための条件を、コンテンツ推薦システム３０５へ送信する機能を有する。
【０１６３】
まず車載端末では、車載端末処理システム３０３が、車載端末記憶手段３０４より“燃料残量少”のプローブ情報を感知し、車載端末通信部３０７を介し、ネットワークを通じてセンタ通信部３０８へ送信する。センタでは、“燃料残量少”のプローブ情報を受信したコンテキスト処理システム３０９は、カーナビ情報から目的地までの経路を抽出し、走行可能距離から燃料がなくなる前にガソリンスタンドでの給油を勧めた方がよいと推定する。経路上においてこの場所まで（ガソリンがなくなるまで）のガソリンスタンドの検索指示及び検索したガソリンスタンドの情報を提供するタイミングの指示を、コンテンツ推薦システム３０５へ送信する。
【０１６４】
ここでの、ガソリンスタンドの場所と、提供するタイミングの処理は、目的地までの距離と現在地からガソリンスタンドまでの距離と到着予定時刻、現在の燃料残量における走行可能距離を考慮して処理しているものとする。
【０１６５】
指示情報を受信したコンテンツ推薦システム３０５は、コンテキスト処理システム３０９からの指示に従い、ガソリンスタンドの検索を行い、コンテキスト処理システム３０９からの指示に基づいたタイミングで、センタ通信部３０８を介しネットワークを通じて車載端末通信部３０７へ送信され、カーナビ機能部３０２を介し車載端末のディスプレイに、ガソリンスタンドの情報が表示される。
【０１６６】
またここではプッシュ配信による実施例を記述したが、プル配信によって情報提供する方法も考えられる。
【０１６７】
なお、本実施例では、コンテキスト処理システム３０９をセンタサーバ側に設けたが、車載端末に設けてもよい。
【０１６８】
以上のように、本実施例４によれば、環境コンテキストを利用することで、ユーザの車両の状況及び車両の周囲の状況に応じ必要であると思われるコンテンツを検索し、タイミングよく、ユーザにコンテンツを提供することができる。また、センタ側で、ユーザの車両の状況及び車両の周囲の状況を判断し処理することで、車載端末における処理を軽減することができる。
【実施例５】
【０１６９】
次に、本発明の実施例５について図面を参照して詳細に説明する。
本実施例では、実施例３と比較すると、ユーザコンテキスト記憶手段４１０と環境コンテキスト記憶手段４１１を備え、過去の履歴情報を蓄積する点、環境コンテキストと、ユーザコンテキストを利用することで、ユーザの状態及びユーザの車両の状況及び車の周囲の状況に応じ必要であると思われるコンテンツの検索をセンタで処理する点と、コンテキスト処理システム４０９がトリガーを感知する点で異なる。
【０１７０】
図６を参照すると、車両情報収集部４０１と、カーナビ機能部４０２と、車載端末処理システム４０３と、車載端末記憶手段４０４と、コンテンツ推薦システム４０５と、コンテンツ記憶手段４０６と、車載端末通信部４０７と、センタ通信部４０８と、コンテキスト処理システム４０９と、ユーザコンテキスト記憶手段４１０と、環境コンテキスト記憶手段４１１から構成されている。これらの各機器やシステムを参照して説明する。
【０１７１】
車載端末は、車両情報収集部４０１、カーナビ機能部４０２、車載端末処理システム４０３、車載端末記憶手段４０４、車載端末通信部４０７から構成され、車両内に搭載されており、車両情報収集部４０１は、車両のセンサ等と接続されている。
【０１７２】
またセンタは、コンテンツ推薦システム４０５、コンテンツ記憶手段４０６、センタ通信部４０８、コンテキスト処理システム４０９、ユーザコンテキスト記憶手段４１０、環境コンテキスト記憶手段４１１から構成されている。
【０１７３】
車両情報収集部４０１は、車両のセンサ等より、時間、車両の位置、車速、ワイパ、燃料残量、ブレーキ等のプローブ情報をリアルタイムに収集する機能を有し、収集した情報は、車載端末記憶手段４０４に記録する。
【０１７４】
カーナビ機能部４０２は、センタから受信した車載端末処理システム４０３から受信したコンテンツを車載端末のディスプレイに表示する機能と、経路探索機能、走行経路やカーナビ操作等の履歴記録機能、交通渋滞、現在地周辺、目的地周辺、POI情報等の、道路情報や店舗情報の表示機能など、現状普及しているカーナビと類似した機能を有し、収集した情報は、車載端末記憶手段４０４に記録する。カーナビ機能部４０２によって得られ活用できる情報は、経路探索機能より、目的地までの経路、目的地までの距離、目的地までの交通渋滞等の情報と、履歴記録機能より、走行距離、走行経路、走行場所等の走行履歴情報と、車載端末に表示されたコンテンツの閲覧操作や、コンテンツ検索操作等のカーナビ操作履歴情報である。ここで、カーナビ機能部４０２より収集したコンテンツ閲覧操作の情報はユーザ情報の一部であり、それ以外の情報はカーナビ情報である。
【０１７５】
車載端末処理システム４０３は、車載端末記憶手段４０４に記録された、プローブ情報及びカーナビ情報及びユーザ情報を、リアルタイム、定期的（分、時間単位等）、記録したプローブ情報とカーナビ情報がある一定の容量を満たした時、ユーザにより端末操作が行われた時等、情報を送信するタイミングを処理する機能を有する。
【０１７６】
車載端末記憶手段４０４は、プローブ情報及びカーナビ情報、予めカーナビに登録されている情報等が記録されているものである。
【０１７７】
コンテンツ推薦システム４０５は、コンテキスト処理システム４０９から入力されたコンテンツの検索のための条件に従い、コンテンツ記憶手段４０６等から、最適なコンテンツを検索する機能と、検索したコンテンツを車載端末処理システム４０３へ送信する機能を有する。この時、コンテキスト処理システム４０９からのユーザに提供するタイミングの指示に従い、検索したコンテンツを車載端末処理システム４０３へ送信するものとする。
【０１７８】
コンテンツ記憶手段４０６は、店舗や施設等のPOI情報が記録されているものである。
車載端末通信部４０７は、センタ通信部４０８と携帯電話などの広域通信及び無線LAN、DSRCなどの狭域通信を介して接続し、車載端末とセンタ間において情報を送受信する機能を有する。また、車載端末記憶手段４０４に記録された情報を、センタに送信するタイミングは、前述の通り車載端末処理システム４０３が処理したタイミングに応じ送信する。
【０１７９】
センタ通信部４０８は、車載端末通信部４０７と携帯電話などの広域通信及び無線LAN、DSRCなどの狭域通信を介して接続し、車載端末とセンタ間において情報を送受信する機能を有する。また、車載端末通信部４０７からローブ情報及びカーナビ情報を受信する機能と、センタ内で検索したコンテンツを車載端末通信部４０７へ送信する機能を有する。
【０１８０】
コンテキスト処理システム４０９は、ユーザコンテキスト記憶手段４１０及び環境コンテキスト記憶手段１０の情報に基づき、ユーザの状態及びユーザの車両の状況及び車両の周囲の状況が、どのような状態にあるかを判断し、コンテンツを提供するタイミングの判断機能と、ユーザの状態及びユーザの車両の状況及び車両の周囲の状況の先を予測する状況推定機能と、これら２つの機能より、ユーザへのコンテンツの提供のタイミングの指示及びユーザに提供すべきコンテンツの検索のための条件を、コンテンツ推薦システム４０５へ送信する機能を有する。
【０１８１】
ユーザコンテキスト記憶手段４１０は、車載端末処理システム４０３から受信した、ユーザ情報を記録する。ここでユーザコンテキストとは、年齢、性別、職業、趣味・嗜好等のユーザプロファイル、履歴情報、スケジュール等の情報や、システム利用時にユーザが事前にカーナビ機能部から登録した情報のことである。
【０１８２】
環境コンテキスト記憶手段４１１は、車載端末処理システム４０３から受信した、プローブ情報及びカーナビ情報を記録する。
【０１８３】
ユーザコンテキスト記憶手段４１０と、環境コンテキスト記憶手段４１１に記録されるユーザ情報及びプローブ情報及びカーナビ情報は、車両情報収集部４０１とカーナビ機能部４０２で収集し、車載端末記憶手段４０４に記録され、車載端末処理システム４０３が、ユーザコンテキスト記憶手段４１０及び環境コンテキスト記憶手段４１１に記録する。この記憶手段に記録された情報から、コンテキスト処理システム４０９がトリガーを感知し、その内容に基づき状況推定及びユーザに提供すべきコンテンツ検索のための条件を判断する処理を行う。
【０１８４】
まず、コンテキスト処理システム４０９は、環境コンテキスト記憶手段４１１より“燃料残量少”のプローブ情報を感知し、カーナビ情報から目的地までの経路を抽出し、ユーザコンテキスト記憶手段４１０より、ユーザがよく利用するガソリンスタンドの情報を抽出する。ここで、コンテキスト処理システム４０９は、走行可能距離から燃料がなくなる前にガソリンスタンドでの給油を勧めた方がよいと推定する。経路上においてこの場所まで（ガソリンがなくなるまで）のガソリンスタンドの検索指示及び検索したガソリンスタンドの情報を提供するタイミングの指示を、コンテンツ推薦システム４０５へ送信する。
【０１８５】
ここでの、ガソリンスタンドの場所と、提供するタイミングの処理は、目的地までの距離と現在地からガソリンスタンドまでの距離と到着予定時刻、現在の燃料残量における走行可能距離を考慮して処理しているものとする。
【０１８６】
指示情報を受信したコンテンツ推薦システム４０５は、コンテキスト処理システム４０９からの指示に従い、ユーザがよく利用するガソリンスタンドの検索を行い、コンテキスト処理システム４０９からの指示に基づいたタイミングで、車載端末処理システム４０３へ送信され、カーナビ機能部４０２を介し車載端末のディスプレイに、ガソリンスタンドの情報が表示される。
【０１８７】
コンテンツ提供後は、ユーザが閲覧したガソリンスタンドの情報が、カーナビ機能部４０２によって収集、車載端末記憶手段４０４に記録される（ステップA）。車載端末処理システム４０３は、車載端末記憶手段４０４に記録された情報を、ユーザコンテキスト記憶手段４１０と環境コンテキスト記憶手段４１１に記録する。
【０１８８】
またここではプッシュ配信による実施例を記述したが、実施例２において記述したプル配信も同様の手順で情報提供することも考えられる。
【０１８９】
なお、本実施例では、コンテキスト処理システム４０９、ユーザコンテキスト記憶手段４１０、環境コンテキスト記憶手段４１１をそれぞれセンタサーバ側に設けたが、車載端末側に設けてもよく、それぞれどちらに設けてもよい。
【０１９０】
以上のように、本実施例５によれば、ユーザコンテキスト及び環境コンテキストを利用することで、ユーザの状態及びユーザの車両の状況及び車の周囲の状況に応じ必要であると思われるコンテンツを検索し、タイミングよく、ユーザにコンテンツを提供することができる。
【実施例６】
【０１９１】
次に、本発明の実施例６について図面を参照して詳細に説明する。
本実施例では、実施例４と比較すると、コンテキスト解析システム５１２を備え、ユーザ情報及びプローブ情報及びカーナビ情報を加工する点、加工したユーザ情報をユーザコンテキスト記憶手段へ、プローブ情報及びカーナビ情報を環境コンテキスト記憶手段へ、所定の形式に記録する点で異なる。また、本実施例は、実施例１と比較すると、クライアント・サーバ型を備えている点で異なる。
【０１９２】
図７を参照すると、本実施例は、車両情報収集部５０１と、カーナビ機能部５０２と、車載端末処理システム５０３と、車載端末記憶手段５０４と、コンテンツ推薦システム５０５と、コンテンツ記憶手段５０６と、車載端末通信部５０７と、センタ通信部５０８と、コンテキスト処理システム５０９と、ユーザコンテキスト記憶手段５１０と、環境コンテキスト記憶手段５１１と、コンテキスト解析システム５１２から構成されている。これらの各機器やシステムを参照して説明する。
【０１９３】
車載端末は、車両情報収集部５０１、カーナビ機能部５０２、車載端末処理システム５０３、車載端末記憶手段５０４、車載端末通信部５０７から構成され、車両内に搭載されており、車両情報収集部５０１は車両のセンサ等と接続されている。
【０１９４】
またセンタは、コンテンツ推薦システム５０５、センタ通信部５０８、コンテキスト処理システム５０９、ユーザコンテキスト記憶手段５１０、環境コンテキスト記憶手段５１１、コンテンツ解析システム５１２、コンテキスト解析システム５１２から構成されている。
【０１９５】
車両情報収集部５０１は、車両のセンサ等より、時間、車両の位置、車速、ワイパ、燃料残量、ブレーキ等のプローブ情報をリアルタイムに収集する機能を有し、収集した情報は、車載端末記憶手段５０４に記録する。
【０１９６】
カーナビ機能部５０２は、センタから受信したコンテンツを車載端末のディスプレイに表示する機能と、経路探索機能、走行経路やカーナビ操作等の履歴記録機能、交通渋滞、現在地周辺、目的地周辺、POI情報等の、道路情報や店舗情報の表示機能など、現状普及しているカーナビと類似した機能を有し、収集した情報は、車載端末記憶手段５０４に記録する。カーナビ機能部５０２によって得られ活用できる情報は、経路探索機能より、目的地までの経路、目的地までの距離、目的地までの交通渋滞等の情報と、履歴記録機能より、走行距離、走行経路、走行場所等の走行履歴情報と、車載端末に表示されたコンテンツの閲覧操作や、コンテンツ検索操作等のカーナビ操作履歴情報である。ここで、カーナビ機能部５０２より収集したコンテンツ閲覧操作の情報はユーザ情報の一部であり、それ以外の情報はカーナビ情報である。
【０１９７】
車載端末処理システム５０３は、車載端末記憶手段５０４に記録された、プローブ情報とカーナビ情報、ユーザ情報を、リアルタイム、定期的（分、時間単位等）、記録したプローブ情報とカーナビ情報がある一定の容量を満たした時、ユーザにより端末操作が行われた時等、情報を送信するタイミングを処理する機能を有する。
【０１９８】
車載端末記憶手段５０４は、プローブ情報やカーナビ情報の記録や、予めカーナビに登録されている情報等が記録されているものである。
【０１９９】
コンテンツ推薦システム５０５は、コンテキスト処理システム５０９から入力されたコンテンツの検索のための条件に従い、コンテンツ記憶手段５０６等から、最適なコンテンツを検索する機能と、検索したコンテンツをセンタ通信部４へ送信する機能を有する。この時、コンテキスト処理システム５０９からのユーザに提供するタイミングの指示に従い、検索したコンテンツをセンタ通信部５０８へ送信するものとする。
【０２００】
コンテンツ記憶手段５０６は、店舗や施設等のPOI情報が記録されているものである。
車載端末通信部５０７は、センタ通信部５０８と携帯電話などの通信を介して接続し、車載端末とセンタ間において情報を送受信する機能を有する。また、車載端末記憶手段５０４に記録された情報を、センタに送信するタイミングは、前述の通り車載端末処理システム５０３が処理したタイミングに応じ送信する。
【０２０１】
センタ通信部５０８は、車載端末通信部５０７と携帯電話などの通信を介して接続し、車載端末とセンタ間において情報を送受信する機能を有する。車載端末通信部５０７から、プローブ情報とカーナビ情報、ユーザ情報を受信する機能と、センタ内で検索したコンテンツを車載端末通信部５０７へ送信する機能を有する。
【０２０２】
コンテキスト処理システム５０９は、ユーザコンテキスト記憶手段５１０及び環境コンテキスト記憶手段５１１の情報に基づき、ユーザの状態及びユーザの車両の状況及び車両の周囲の状況が、どのような状態にあるかを判断し、コンテンツを提供するタイミングの判断機能と、ユーザの状態及びユーザの車両の状況及び車両の周囲の状況の先を予測する状況推定機能と、これら２つの機能より、ユーザへのコンテンツの提供のタイミングの指示と、ユーザに提供すべきコンテンツの検索のための条件を、コンテンツ推薦システム５０９へ送信する機能を有する。
【０２０３】
ユーザコンテキスト記憶手段５１０は、ユーザ情報からコンテンツ解析システム５１２で加工されたユーザコンテキストを記録する。ここでユーザコンテキストとは、年齢、性別、職業、趣味・嗜好等のユーザプロファイル、履歴情報、スケジュール等の情報や、システム利用時にユーザが事前に登録した情報のことである。
【０２０４】
環境コンテキスト記憶手段５１１は、コンテンツ解析システム５１２で加工されたプローブ情報及びカーナビ情報を環境コンテキストとして記録する。
【０２０５】
コンテキスト解析システム５１２は、センタ通信部５０８からユーザ情報及びプローブ情報及びカーナビ情報を入力し、ユーザコンテキスト（新たなユーザ情報）または環境コンテキストとして、所定の形式に加工する機能と、ユーザコンテキストをユーザコンテキスト記憶手段５１０へ、環境コンテキストを環境コンテキスト記憶手段５１１へ記録する機能を有する。
【０２０６】
図９を参照すると、ユーザコンテキスト記憶手段５１０と、環境コンテキスト記憶手段５１１に記録されるユーザ情報及びプローブ情報及びカーナビ情報は、車両情報収集部５０１とカーナビ機能部５０２で収集し、車載端末記憶手段５０４に記録され（ステップC１）、車載端末処理システム５０３が、車載端末通信部５０７を介し、センタ通信部５０８へ送信する（ステップC２）。情報を受信したセンタでは、センタ通信部５０８がコンテキスト解析システム５１２へ情報を送信し（ステップC３）、コンテキスト解析システム５１２が、所定の形式に加工し、ユーザコンテキスト記憶手段５１０と環境コンテキスト記憶手段５１１に記録する（ステップC４）。この記憶手段に記録された情報から、コンテキスト処理システム５０９がトリガーを感知し（ステップC５）、その内容に基づき状況推定（ステップC６）及びユーザに提供すべきコンテンツ検索のための条件を判断する処理を行う（ステップC７）。
【０２０７】
まず、コンテキスト処理システム５０９は、環境コンテキスト記憶手段５１１より“燃料残量少”のプローブ情報を感知し（ステップC５）、カーナビ情報から目的地までの経路を抽出し、ユーザコンテキスト記憶手段５１０より、ユーザがよく利用するガソリンスタンドの情報を抽出する。ここで、コンテキスト処理システム５０９は、走行可能距離から燃料がなくなる前にガソリンスタンドでの給油を勧めた方がよいと推定する（ステップC６）。経路上においてこの場所まで（ガソリンがなくなるまで）のガソリンスタンドの検索指示と、検索したガソリンスタンドの情報を提供するタイミングの指示を、コンテンツ推薦システム５０５へ送信する（ステップC７）。
【０２０８】
ここでの、ガソリンスタンドの場所と、提供するタイミングの処理は、目的地までの距離と現在地からガソリンスタンドまでの距離と到着予定時刻、現在の燃料残量における走行可能距離を考慮して処理しているものとする。
【０２０９】
指示情報を受信したコンテンツ推薦システム５０５は、コンテキスト処理システム５０９からの指示に従い、ユーザがよく利用するガソリンスタンドの検索を行い（ステップC８）、コンテキスト処理システム５０９からの指示に基づいたタイミングで、センタ通信部５０８を介し、ネットワークを通じて車載端末通信部５０７へ送信され（ステップC９）、カーナビ機能部５０２を介し車載端末のディスプレイに、ガソリンスタンドの情報が表示される（ステップC１０）。
【０２１０】
車載端末では、ユーザが閲覧したガソリンスタンドの情報が、カーナビ機能部５０２によって収集、車載端末記憶手段５０４に記録され（ステップC１１）、車載端末処理システム５０３は車載端末通信部５０７を介しセンタ通信部５０８に送信する（ステップC１２）。
【０２１１】
センタでは、車載端末通信部５０７より受信した閲覧情報は、センタ通信部５０８を介しコンテキスト解析システム５１２へ送信され、コンテキスト解析システム５１２は、閲覧情報を履歴情報としてユーザコンテキスト記憶手段５１０に記録する（ステップC１３）。
【０２１２】
またここではプッシュ配信による実施例を記述したが、実施例２において記述したプル配信も同様の手順で情報提供することも考えられる。
【０２１３】
なお、本実施例では、コンテキスト処理システム５０９、コンテキスト解析システム５１２、ユーザコンテキスト記憶手段５１０、環境コンテキスト記憶手段５１１をそれぞれセンタサーバ側に設けたが、車載端末側に設けてもよく、それぞれどちらに設けてもよい。
【０２１４】
以上のように、本実施例６によれば、環境コンテキストと、ユーザコンテキストを利用することで、ユーザの状態及びユーザの車両の状況及び車の周囲の状況に応じ必要であると思われるコンテンツを検索し、タイミングよく、ユーザにコンテンツを提供することができる。
【実施例７】
【０２１５】
次に、本発明の実施例７について図面を参照して詳細に説明する。
本実施例では、実施例６と比較すると、PC６１３を備え、ユーザがPC６１３を介しユーザ情報を変更及び追加することができ、より詳細なユーザ情報を記録する点で異なる。
【０２１６】
図８を参照すると、本実施例は、車両情報収集部６０１と、カーナビ機能部６０２と、車載端末処理システム６０３と、車載端末記憶手段６０４と、コンテンツ推薦システム６０５と、コンテンツ記憶手段６０６と、車載端末通信部６０７と、センタ通信部６０８と、コンテキスト処理システム６０９と、ユーザコンテキスト記憶手段６１０と、環境コンテキスト記憶手段６１１と、コンテキスト解析システム６１２、PC６１３から構成されている。これらの各機器やシステムを参照して説明する。
【０２１７】
車載端末は、車両情報収集部６０１、カーナビ機能部６０２、車載端末処理システム６０３、車載端末記憶手段６０４、車載端末通信部６０７から構成され、車両内に搭載されており、車両情報収集部６０１は車両のセンサ等と接続されている。
【０２１８】
またセンタは、コンテンツ推薦システム６０５、センタ通信部６０８、コンテキスト処理システム６０９、ユーザコンテキスト記憶手段６１０、環境コンテキスト記憶手段６１１、コンテンツ解析システム６１２、コンテキスト解析システム６１２から構成されている。
【０２１９】
またPC６１３は、センタ内のユーザコンテキスト記憶手段６１０とネットワーク等で接続されているものとする。
【０２２０】
車両情報収集部６０１は、車両のセンサ等より、時間、車両の位置、車速、ワイパ、燃料残量、ブレーキ等のプローブ情報をリアルタイムに収集する機能を有し、収集した情報は、車載端末記憶手段６０４に記録する。
【０２２１】
カーナビ機能部６０２は、センタから受信したコンテンツを車載端末のディスプレイに表示する機能と、経路探索機能、走行経路やカーナビ操作等の履歴記録機能、交通渋滞、現在地周辺、目的地周辺、POI情報等の、道路情報や店舗情報の表示機能など、現状普及しているカーナビと類似した機能を有し、収集した情報は、車載端末記憶手段６０４に記録する。カーナビ機能部６０２によって得られ活用できる情報は、経路探索機能より、目的地までの経路、目的地までの距離、目的地までの交通渋滞等の情報と、履歴記録機能より、走行距離、走行経路、走行場所等の走行履歴情報と、車載端末に表示されたコンテンツの閲覧操作や、コンテンツ検索操作等のカーナビ操作履歴情報である。
【０２２２】
ここで、カーナビ機能部６０２より収集したコンテンツ閲覧操作の情報はユーザ情報の一部であり、それ以外の情報はカーナビ情報である。
【０２２３】
車載端末処理システム６０３は、車載端末記憶手段６０４に記録された、プローブ情報とカーナビ情報、ユーザ情報を、リアルタイム、定期的（分、時間単位等）、記録したプローブ情報とカーナビ情報とがある一定の容量を満たした時、ユーザにより端末操作が行われた時等、情報を送信するタイミングを処理する機能を有する。
【０２２４】
車載端末記憶手段６０４は、プローブ情報やカーナビ情報の記録や、予めカーナビに登録されている情報等が記録されているものである。
【０２２５】
コンテンツ推薦システム６０５は、コンテキスト処理システム６０９から入力されたコンテンツの検索のための条件に従い、コンテンツ記憶手段６０６等から、最適なコンテンツを検索する機能と、検索したコンテンツをセンタ通信部４へ送信する機能を有する。この時、コンテキスト処理システム６０９からのユーザに提供するタイミングの指示に従い、検索したコンテンツをセンタ通信部６０８へ送信するものとする。
【０２２６】
コンテンツ記憶手段６０６は、店舗や施設等のPOI情報が記録されているものである。
車載端末通信部６０７は、センタ通信部６０８と携帯電話などの通信を介して接続し、車載端末とセンタ間において情報を送受信する機能を有する。また、車載端末記憶手段６０４に記録された情報を、センタに送信するタイミングは、前述の通り車載端末処理システム６０３が処理したタイミングに応じ送信する。
【０２２７】
センタ通信部６０８は、車載端末通信部６０７と携帯電話などの通信を介して接続し、車載端末とセンタ間において情報を送受信する機能を有する。車載端末通信部６０７から、プローブ情報とカーナビ情報、ユーザ情報を受信する機能と、センタ内で検索したコンテンツを車載端末通信部６０７へ送信する機能を有する。
【０２２８】
コンテキスト処理システム６０９は、ユーザコンテキスト記憶手段６１０及び環境コンテキスト記憶手段６１１の情報に基づき、ユーザの状態及びユーザの車両の状況及び車両の周囲の状況が、どのような状態にあるかを判断し、コンテンツを提供するタイミングの判断機能と、ユーザの状態及びユーザの車両の状況及び車両の周囲の状況の先を予測する状況推定機能と、これら２つの機能より、ユーザへのコンテンツの提供のタイミングの指示と、ユーザに提供すべきコンテンツの検索のための条件を、コンテンツ推薦システム６０９へ送信する機能を有する。
【０２２９】
ユーザコンテキスト記憶手段６１０は、ユーザ情報からコンテンツ解析システム６１２で加工されたユーザコンテキストの記録と、PC６１３から受信したユーザ情報の加工と記録の機能を有する。ここでユーザコンテキストとは、年齢、性別、職業、趣味・嗜好等のユーザプロファイル、履歴情報、スケジュール等の情報や、システム利用時にユーザが事前に登録した情報のことである。
【０２３０】
環境コンテキスト記憶手段６１１は、コンテンツ解析システム６１２で加工されたプローブ情報及びカーナビ情報を環境コンテキストとして記録する。
【０２３１】
コンテキスト解析システム６１２は、センタ通信部６０８からユーザ情報及びプローブ情報及びカーナビ情報を入力し、ユーザコンテキスト（新たなユーザ情報）または環境コンテキストとして、所定の形式に加工する機能と、ユーザコンテキストをユーザコンテキスト記憶手段６１０へ、環境コンテキストを環境コンテキスト記憶手段６１１へ記録する機能を有する。
【０２３２】
PC６１３は、ユーザが所持しているPCからセンタへネットワークなどを介し接続し、ユーザ自らユーザ情報を変更及び追加するための機能として活用する。なお、PC６１３は、本実施例に限られず、通信機能を有する情報処理装置であればよく、携帯端末等の移動体通信端末でもよい。
【０２３３】
実施例の動作については、実施例６と同様である。
またここでは、プッシュ配信による実施例を記述したが、実施例２において記述したプル配信も同様の手順で情報提供することも考えられる。
【０２３４】
なお、本実施例では、コンテキスト処理システム６０９、コンテキスト解析システム６１２、ユーザコンテキスト記憶手段６１０、環境コンテキスト記憶手段６１１をセンタサーバ側に設けたが、車載端末側に設けてもよい。各部及び各システムをそれぞれセンタサーバ側又は車載端末側に任意に設けることができる。
【実施例８】
【０２３５】
次に、本発明の実施例８について図面を参照して詳細に説明する。
本実施例においては、ユーザがカーナビで目的を設定した場合、目的情報からユーザコンテキスト記憶手段５１０に記録された、ユーザの行動パターン等の過去の履歴情報を、コンテキスト処理システム５０９が参照し、“次にユーザは何をしたいか”目的を推定する。
【０２３６】
従って、カーナビ情報及びユーザの過去の履歴情報から、ユーザが設定した目的から最適なコンテンツを検索する点と、車載端末から目的情報をコンテキスト処理システム５０９へ送信する点、その目的から次の目的を予測し、プル配信により情報を提供するという点で前述した実施例６と異なる。また、実施例２で記述した動作と同様の処理であるが、クライアント・サーバ型の方法をとっている点で異なる。ここでのプル配信の動作は、実施例６、実施例７においても適用できる。
【０２３７】
図７、図１０を参照して本実施例の動作について、カーナビからの目的設定によるユーザの目的を推測し、POI情報を提供する方法について詳細に説明する。
【０２３８】
ここでは、スポーツがしたいというユーザの目的から、ユーザの行動を予測し、最適なコンテンツを検索し、プル配信によって情報を提供する方法を例にとる。
【０２３９】
ユーザ情報及びプローブ情報及びカーナビ情報が、ユーザコンテキスト記憶手段５１０と環境コンテキスト記憶手段５１１に記録するまでの動作は、実施例６と同様である（ステップD１〜D４）。
【０２４０】
まず、ユーザが車載端末でで“スポーツがしたい”という目的を設定する（ステップD５）。設定された目的情報は、センタ通信部５０８を介しコンテキスト処理システム５０９へ送信される（ステップD６）。コンテキスト処理システム５０９は受信した目的情報から、ユーザコンテキスト記憶手段５１０より“スポーツの後は温泉”という履歴情報を抽出し、推定処理を行う（ステップD７）。ここで、コンテキスト処理システム５０９は、スポーツ施設の検索指示及びその周辺における温泉施設の検索指示をコンテンツ推薦システム５０５に送信する（ステップD８）。
【０２４１】
指示情報を受信したコンテンツ推薦システム５０５は、コンテキスト処理システム５０９からの指示に従い、スポーツ施設の検索と及びその周辺における温泉施設の検索を行い（ステップD９）、スポーツ施設の情報と温泉施設の情報を、センタ通信部５０８を介し車載端末通信部５０７へ送信する（ステップD１０）。車載端末処理システム５０３は、車載端末通信部５０７を介し情報を受信し、カーナビ機能部５０２のディスプレイにスポーツ施設の情報及び温泉施設の情報を表示する（ステップD１１）。
【０２４２】
情報提供後の履歴情報の記録は、実施例６と同様である（ステップD１２〜D１４）。
【０２４３】
以上のように、本実施例８によれば、環境コンテキストと、ユーザコンテキストを利用することで、カーナビで設定した目的情報からユーザの目的を推測し、POI情報を提供することができる。
【０２４４】
以上、本発明の実施例について説明したが、上記実施例に限定されるものではなく、その要旨を逸脱しない範囲において種々の変形が可能である。
【図面の簡単な説明】
【０２４５】
【図１】本発明の実施例１の構成を示すブロック図である。
【図２】本発明の実施例１の動作を示すフロー図である。
【図３】本発明の実施例２の動作を示すフロー図である。
【図４】本発明の実施例３の構成を示すブロック図である。
【図５】本発明の実施例４の構成を示すブロック図である。
【図６】本発明の実施例５の構成を示すブロック図である。
【図７】本発明の実施例６の構成を示すブロック図である。
【図８】本発明の実施例７の構成を示すブロック図である。
【図９】本発明の実施例６の動作を示すフロー図である。
【図１０】本発明の実施例８の動作を示すフロー図である。
【符号の説明】
【０２４６】
１、２０１、３０１、４０１、５０１、６０１    車両情報収集部
２、２０２、３０２、４０２、５０２、６０２    カーナビ機能部
３、２０３、３０３、４０３、５０３、６０３、６０８    車載端末処理システム（部）
４、２０４、３０４、４０４、５０４、６０７    車載端末記憶手段
５、４０５、５１２、６１２    コンテキスト解析システム（部）
６、３０９、４０９、５０９、６０９    コンテキスト処理システム（部）
７、２０５、３０５、５０５、６０５    コンテンツ推薦システム（部）
８、２０６、３０６、４０６、５０６、６０６    コンテンツ記憶手段
９、４１０、５１０、６１０    ユーザコンテキスト記憶手段
１０、４１１、５１１、６１１    環境コンテキスト記憶手段
２０７、３０７、４０７、５０７、６０３    車載端末通信部
２０８、３０８、４０８、５０８、６０４    センタ通信部
６１３    ＰＣ
【図１】
2005339279.tif 000003
【図２】
2005339279.tif 000004
【図３】
2005339279.tif 000005
【図４】
2005339279.tif 000006
【図５】
2005339279.tif 000007
【図６】
2005339279.tif 000008
【図７】
2005339279.tif 000009
【図８】
2005339279.tif 000010
【図９】
2005339279.tif 000011
【図１０】
2005339279.tif 000012